(57)【要約】  個人用エンタテインメント呼吸装置は、完全に没頭型エンタテインメント体験を提供するためにユーザに空気を提供する。該個人用エンタテインメントシステムは、空気の流れを提供するための流れ発生器を備えてよい。個人用立体呼吸インターフェースは、流れ発生器に結合されてもよい。個人用立体呼吸インターフェースは流れ発生器用の吹出口を備えてよい。個人用立体呼吸インターフェースは、ユーザの周囲呼吸近接域内に空気の流れを誘導するようにさらに構成されてもよい。個人用エンタテインメント呼吸装置は、コントローラ及び感覚粒子ディスペンサーをさらに備えてもよい。コントローラ及び感覚粒子ディスペンサーは、エンタテインメント・トリガ信号に応答してディスペンサーから、誘導された空気の流れの中へ感覚粒子の放出を選択的に起動するように構成されてもよい。【選択図】図１
2018504159.tif 000002
【特許請求の範囲】
【請求項１】
ユーザに清浄化空気を提供する個人用携帯型呼吸装置であって、
流れ発生器であって、該流れ発生器が濾過又は調整された空気の流れを発生するように構成されている、流れ発生器と、
前記流れ発生器に結合された個人用立体呼吸インターフェースであって、該個人用立体呼吸インターフェースが前記流れ発生器用の吹出口を備え、該個人用立体呼吸インターフェースがユーザの周囲呼吸近接域内に空気の流れを誘導するように構成された、個人用立体呼吸インターフェースを備える装置。
【請求項２】
前記流れ発生器への空気吸込口が、フィルタであって、該吸込口を通って吸い込まれる空気から粒子を除去するように構成されているフィルタを備えている、請求項１に記載の装置。
【請求項３】
前記フィルタが、前記吸込口を通って吸い込まれる空気から揮発性ガス及び臭いを除去するように構成されている、請求項２に記載の装置。
【請求項４】
前記フィルタが、前記吸込口を通って吸い込まれる空気からバクテリア及びウイルスを除去するように構成されている、請求項２〜３のいずれか一項に記載の装置。
【請求項５】
前記フィルタが、ＨＥＰＡフィルタ、エレクトレットフィルタ、イオナイザー清浄器、熱力学殺菌フィルタ、能動型炭素フィルタ及び触媒酸化フィルタのうちいずれか１つ以上を備えている、請求項２〜４のいずれか一項に記載の装置。
【請求項６】
前記個人用立体呼吸インターフェースが、エアカーテンに前記誘導された空気の流れを発生して前記ユーザの前記周囲呼吸近接域を未清浄化環境空気から分離するように構成された、１組の分散空気吹出口を備えている、請求項１〜５のいずれか一項に記載の装置。
【請求項７】
前記個人用立体呼吸インターフェースが、前記ユーザの前記周囲呼吸近接域内の前記誘導された空気の流れを未清浄化環境空気から分離するために空気遮蔽を生成するように構成された、さらに１組の空気吹出口を備えている、請求項１〜６のいずれか一項に記載の装置。
【請求項８】
前記さらに１組の空気吹出口が層流化ノズルを備えている、請求項７に記載の装置。
【請求項９】
前記層流化ノズルがハチの巣構造を備える、請求項８に記載の装置。
【請求項１０】
付加的な１組の空気吹出口であって、１つ以上のエアカーテンを生成して前記ユーザの前記周囲呼吸近接域を未清浄化環境空気から分離するために付加的な１組の空気吹出口をさらに備えている、請求項１〜９のいずれか一項に記載の装置。
【請求項１１】
個人用立体呼吸インターフェースがファッションアクセサリを備えている、請求項１〜１０のいずれか一項に記載の装置。
【請求項１２】
前記ファッションアクセサリがスカーフを備えている、請求項１１に記載の装置。
【請求項１３】
前記ファッションアクセサリがシャツを備えている、請求項１１に記載の装置。
【請求項１４】
前記ファッションアクセサリがシャツカラーを備えている、請求項１１に記載の装置。
【請求項１５】
前記ファッションアクセサリが眼鏡、バイザー又はゴーグルを備えている、請求項１１に記載の装置。
【請求項１６】
前記ファッションアクセサリがネックレスを備えている、請求項１１に記載の装置。
【請求項１７】
前記ネックレスが前記空気の流れを誘導するために前記ネックレスの長さに沿って複数の吹出口を備えている、請求項１６に記載の装置。
【請求項１８】
前記ファッションアクセサリが帽子を備えている、請求項１１に記載の装置。
【請求項１９】
前記帽子の縁が、前記流れ発生器に結合された１つ以上の空気吹出口を備えている、請求項１８に記載の装置。
【請求項２０】
前記個人用立体呼吸インターフェースがヘッドセットを備えている、請求項１〜１０のいずれか一項に記載の装置。
【請求項２１】
前記個人用立体呼吸インターフェースがヘッドセットブームを備えている、請求項１〜１０のいずれか一項に記載の装置。
【請求項２２】
前記個人用立体呼吸インターフェースが、アンダカラー・フレキシブル・アタッチメントを備えている、請求項１〜１０のいずれか一項に記載の装置。
【請求項２３】
個人用携帯型呼吸装置がハイドレーション（水筒式）バックパックを備えている、請求項１〜１０のいずれか一項に記載の装置。
【請求項２４】
個人用携帯型呼吸装置がノーズクリップを備えている、請求項１〜１０のいずれか一項に記載の装置。
【請求項２５】
個人用携帯型呼吸装置がマウスガードを備えている、請求項１〜１０のいずれか一項に記載の装置。
【請求項２６】
個人用携帯型呼吸装置がスポーツバンドを備えている、請求項１〜１０のいずれか一項に記載の装置。
【請求項２７】
個人用携帯型呼吸装置がスライド式マスクを備えている、請求項１〜１０のいずれか一項に記載の装置。
【請求項２８】
前記装置がウェラブルである、請求項１〜１７及び２３〜２７のいずれか一項に記載の装置。
【請求項２９】
前記個人用立体呼吸インターフェースが位置づけ可能なグースネックチューブを備えている、請求項１に記載の装置。
【請求項３０】
前記個人用立体呼吸インターフェースがリストバンド及び／又は手袋を備えている、請求項１に記載の装置。
【請求項３１】
清浄化空気が、顔面接触装置なしでユーザに提供される、請求項１〜１０、１２、１６〜２０及び２１〜２３、並びに２６のいずれか一項に記載の装置。
【請求項３２】
清浄化空気が、頭接触装置なしでユーザに提供される、請求項１〜６、８、１２及び１７〜２３のいずれか一項に記載の装置。
【請求項３３】
前記流れ発生器が、プレブロワ・フィルタ、ブロワ及びポストブロワ・フィルタを備えている、請求項１〜３２のいずれか一項に記載の装置。
【請求項３４】
前記ブロワが、モータ及びインペラを備えている、請求項３３に記載の装置。
【請求項３５】
前記流れ発生器が、モータ及びインペラを備えている、請求項１〜３３のいずれか一項に記載の装置。
【請求項３６】
前記流れ発生器が、バッテリ動作のために構成され、かつ前記流れ発生器がバッテリ電源をさらにを備えている、請求項３５に記載の装置。
【請求項３７】
前記流れ発生器が、多段ブロワを備えている、請求項１〜３６のいずれか一項に記載の装置。
【請求項３８】
前記流れ発生器が、並列流れ構成で複数のインペラを備えている、請求項３７に記載の装置。
【請求項３９】
前記流れ発生器が、直列流れ構成で複数のインペラを備えている、請求項３７に記載の装置。
【請求項４０】
前記ブロワのロータが、遠心ステージ及び１つ以上の軸流ステージを備えている、請求項３７〜３８のいずれか一項に記載の装置。
【請求項４１】
コントローラ及びアロマディスペンサーであって、該コントローラがエンタテインメント・トリガ信号に応答して前記誘導された空気の流れの中に該アロマディスペンサーからアロマの放出を選択的に起動するように構成されている、コントローラ及びアロマディスペンサーをさらに備えている、請求項１〜４０のいずれか一項に記載の装置。
【請求項４２】
前記コントローラが、前記エンタテインメント・トリガ信号を受信するための通信用インターフェースを備えている、請求項４１に記載の装置。
【請求項４３】
前記通信用インターフェースが、エンタテインメント・コンソールから無線で前記エンタテインメント信号を受信するように適応されている、請求項４２に記載の装置。
【請求項４４】
前記アロマディスペンサーがアロマを含有する交換可能なアロマカートリッジを受容するように適応されている、請求項４１〜４３のいずれか一項に記載の装置。
【請求項４５】
前記装置が、異なるエンタテインメント・トリガ信号に応答して異なるアロマを放出するように構成されている、請求項４１〜４４のいずれか一項に記載の装置。
【請求項４６】
前記アロマが、匂い粒子及び／又は味粒子を含む、請求項４１〜４４のいずれか一項に記載の装置。
【請求項４７】
前記装置の１つ以上の汚染フィルタの動作を設定するように構成されたコントローラをさらに備えている、請求項１〜４６のいずれか一項に記載の装置。
【請求項４８】
前記コントローラと結合された１つ以上の空気質センサをさらに備え、前記コントローラが該１つ以上の空気質センサからの信号に応答して前記１つ以上の汚染フィルタの動作を設定するように構成されている、請求項４７に記載の装置。
【請求項４９】
前記コントローラが、前記装置の位置を検出しかつ前記位置の検出に基づいて前記装置の前記１つ以上の汚染フィルタの動作を設定するために位置センサとともに構成されている、請求項４７〜４８のいずれか一項に記載の装置。
【請求項５０】
前記コントローラが通信用インターフェースを含み、かつ前記コントローラが外部気象又は汚染データを要請及び受信しかつ前記受信された外部気象又は汚染データに基づいて前記１つ以上の汚染フィルタの動作を設定するように構成されている、請求項４７〜４９のいずれか一項に記載の装置。
【請求項５１】
前記ユーザの生理的なデータを検出するように構成された１つ以上のユーザセンサと結合されたコントローラをさらに備え、該コントローラが該１つ以上のセンサからの信号に基づいて前記装置の動作を設定するように構成されている、請求項１〜５０のいずれか一項に記載の装置。
【請求項５２】
前記コントローラが、検出された生理的なデータに基づいた前記装置のアロマディスペンサーの動作のためのエンタテインメント・トリガ信号を発生するように構成されている、請求項５１に記載の装置。
【請求項５３】
前記生理的なデータが、心拍数データ、発汗データ、温度データ、ブレス流量データ、Ｏ２飽和データのいずれか１つ以上を含み、かつ前記１つ以上のユーザセンサが心拍数センサ、湿度センサ、サーミスタ、流れセンサ、酸素濃度計のいずれか１つ以上をそれぞれ備えている、請求項５１〜５２のいずれか一項に記載の装置。
【請求項５４】
コントローラが、前記生理的なデータをエンタテインメントコンソールへ通信するために通信用インターフェースを含む、請求項５２〜５３のいずれか一項に記載の装置。
【請求項５５】
前記流れ発生器の動作を制御するように構成されたコントローラをさらに備えている、請求項１〜５４のいずれか一項に記載の装置。
【請求項５６】
外部プログラミング可能なモバイル処理デバイスを用いてデータを送受信するために通信用インターフェースをさらに備えている、請求項１〜５５のいずれか一項に記載の装置。
【請求項５７】
液滴発生器をさらに備え、前記装置のコントローラが前記誘導された空気の流れの中に液滴を注入するために該液滴生成器を制御するように構成されている、請求項１〜５６のいずれか一項に記載の装置。
【請求項５８】
前記コントローラが、エンタテインメント信号に応答して前記液滴を注入する、請求項５７に記載の装置。
【請求項５９】
前記コントローラが、外部エンタテインメントコンソールから前記エンタテインメント信号を受信する、請求項５８に記載の装置。
【請求項６０】
前記液滴が液状水である、請求項５７〜５９のいずれか一項に記載の装置。
【請求項６１】
少なくとも１つの加熱又は冷却要素をさらに備え、前記装置の前記コントローラが該加熱又は冷却要素の動作を設定することによって前記誘導された空気の流れの温度を変化させるように構成されている、請求項１〜６０のいずれか一項に記載の装置。
【請求項６２】
前記コントローラが、エンタテインメント信号に応答して前記温度を変化させる、請求項６１に記載の装置。
【請求項６３】
前記コントローラが、外部エンタテインメントコンソールから前記エンタテインメント信号を受信する、請求項６２に記載の装置。
【請求項６４】
前記個人用立体呼吸インターフェースの向きを検出する／又は風向を検出するように構成された１つ以上のセンサをさらに備え、前記装置のコントローラが該センサからの信号に基づいて前記装置の動作を調節するように構成されている、請求項１〜６３のいずれか一項に記載の装置。
【請求項６５】
前記１つ以上のセンサが、風を検出する風力計又は個人用立体呼吸インターフェースの向きを検出する加速度計を含む、請求項６４に記載の装置。
【請求項６６】
前記装置のコントローラが、前記検出された風及び／又は前記個人用立体呼吸インターフェースの向きに基づいて前記流れ発生器の動作の変化を制御するように構成されている、請求項６４〜６５のいずれか一項に記載の装置。
【請求項６７】
前記動作の変化が、流れ方向の変化及び流速の変化のいずれか片方を含む、請求項６６に記載の装置。
【請求項６８】
前記コントローラのプロセッサが、検出された接近風の関数として最適な空気ノズル向き及び／又は空気流速を決定するように構成されている、請求項６７に記載の装置。
【請求項６９】
前記流れ発生器が、１０ｍｍ未満の幅を有する、請求項１〜６８のいずれか一項に記載の装置。
【請求項７０】
感覚粒子を含有する空気をユーザに提供する個人用エンタテインメント呼吸装置であって、
流れ発生器であって、空気の流れを生成するように構成された流れ発生器と、
該流れ発生器に結合された個人用立体呼吸インターフェースであって、該個人用立体呼吸インターフェースが前記流れ発生器用の吹出口を備え、該個人用立体呼吸インターフェースがユーザの周囲呼吸近接域内に前記空気の流れを誘導するように構成された、個人用立体呼吸インターフェースと、
コントローラと、
感覚粒子ディスペンサーを備え、
前記コントローラが、エンタテインメント・トリガ信号に応答して前記誘導された空気の流れの中へ前記感覚粒子ディスペンサーから感覚粒子の放出を選択的に起動するように構成されている、装置。
【請求項７１】
前記コントローラが、通信用インターフェースであって、エンタテインメントコンソールと結合可能である通信用インターフェースを備えている、請求項７０に記載の装置。
【請求項７２】
前記通信用インターフェースが無線通信用インターフェースを備えかつ前記トリガー信号が前記エンタテインメントコンソールから受信される無線信号を含む、請求項７１に記載の装置。
【請求項７３】
前記エンタテインメント・トリガ信号が、エンタテインメントコンソールのビデオゲームのイベント又はビデオのイベントのいずれか片方と同期される、請求項７０〜７２のいずれか一項に記載の装置。
【請求項７４】
前記感覚粒子ディスペンサーが、アロマディスペンサーを備える、請求項７０〜７３のいずれか一項に記載の装置。
【請求項７５】
前記感覚粒子ディスペンサーが、液滴ディスペンサーを備えている、請求項７０〜７４のいずれか一項に記載の装置。
【請求項７６】
前記感覚粒子ディスペンサーが、交換可能なアロマカートリッジ及び／又は液滴カートリッジを受容するように適応されている、請求項７０〜７５のいずれか一項に記載の装置。
【請求項７７】
前記コントローラが、異なるエンタテインメント・トリガ信号に応答して異なる感覚粒子を放出するために前記感覚粒子ディスペンサーを制御するように構成されている、請求項７０〜７６のいずれか一項に記載の装置。
【請求項７８】
前記コントローラが、エンタテインメント信号に応答して前記流れ発生器の流量に対する変化を制御するようにさらに構成されている、請求項７０〜７７のいずれか一項に記載の装置。
【請求項７９】
前記ユーザの生理的なデータを検出するように構成された１つ以上のユーザセンサをさらに備え、前記コントローラが該１つ以上のセンサからの信号に基づいて前記装置の動作を設定するように構成されている、請求項７０〜７８のいずれか一項に記載の装置。
【請求項８０】
前記コントローラが、検出された生理的なデータに基づいて前記装置の前記感覚粒子ディスペンサーの動作のためのエンタテインメント・トリガ信号を発生するように構成されている、請求項７９に記載の装置。
【請求項８１】
前記生理的なデータが、心拍数データ、発汗データ、温度データ、ブレス流量データ、Ｏ２飽和データのいずれか１つ以上を含み、前記１つ以上のユーザセンサが心拍数センサ、湿度センサ、サーミスタ、流れセンサ、酸素濃度計のいずれか１つ以上をそれぞれ備えている、請求項７９〜８０のいずれか一項に記載の装置。
【請求項８２】
前記コントローラが、エンタテインメントコンソールへ前記生理的なデータを通信するように構成されている、請求項７０〜８１のいずれか一項に記載の装置。
【請求項８３】
加熱要素をさらに備え、かつ前記コントローラがエンタテインメント信号に応答して前記誘導された空気の流れの温度を設定するために該加熱要素を制御するように構成されている、請求項７０〜８２のいずれか一項に記載の装置。
【請求項８４】
前記エンタテインメント信号が、エンタテインメントコンソールから前記コントローラによって受信される、請求項８３に記載の装置。
【発明の詳細な説明】
【技術分野】
【０００１】
本技術は保護及び／又は感覚刺激などの１つ以上の呼吸影響に関する。例えば、本技術はデバイス又は装置、及び清浄空気を提供するに際してそれらの使用に関わりうる。また、本技術はデバイス又は装置、及び感覚刺激を提供するに際してのそれらの使用にも関する。
【背景技術】
【０００２】
空気は、屋内であれ屋外であれ、人体にとって有害又は望ましくない可能性がある粒子を含むことがある。これらの粒子は大抵目に見えないものでかつ粒子が存在していたことを知らずに個人によって吸い込まれることがある。これらの粒子はなかんずくガス、臭い、バクテリア、アレルゲン、及びウイルスの形態で到来しうる。このような粒子は傷害を引き起こし、呼吸疾患を生じさせ、一般的な不快感を引き起こし、かつアレルギー性反応さえも誘発する可能性がある。ある特定の職業が他の職業よりも多くの有害粒子を含有する環境内に個人を置くことがありうる。すべての個人が有害粒子を不注意に吸い込むことがありうる一方、有害粒子にされされることがより多いこれらの職業に従事している作業者は、粒子が引き起こしうるマイナスの影響をより受けやすい。
【発明の概要】
【０００３】
本技術の幾つかのバージョンは、ユーザに清浄化空気を提供する装置を含む。該装置は流れ発生器を備えてよく、該流れ発生器は濾過された空気の流れを発生するように構成される。前記装置は前記流れ発生器に連結されたユーザ・フロー・インターフェース（例えば、個人用立体呼吸インターフェース）を含んでよい。該個人用立体呼吸インターフェースは前記流れ発生器用の吹出口を備えてよい。前記個人用立体呼吸インターフェースはユーザの周囲呼吸近接域内の空気の流れを誘導するように構成されてもよい。
【０００４】
場合によっては、前記装置はフィルタを含む流れ発生器への空気吸込口を含んでよい。該フィルタは吸込口を通って吸い込まれた空気から粒子を除去するように構成されてもよい。前記フィルタは吸込口を通って吸い込まれた空気から揮発性ガス及び臭いを除去するように構成されてもよい。フィルタは吸込口を通って吸い込まれた空気からバクテリアとウイルスを除去するようにさらに構成されてもよい。前記フィルタはＨＥＰＡフィルタ、エレクトレットフィルタ、イオナイザー清浄器、熱力学殺菌フィルタ、能動型炭素フィルタ及び触媒酸化フィルタのうちいずれか１つ以上であってよい。
【０００５】
場合によっては、前記個人用立体呼吸インターフェースは、ユーザの周囲呼吸近接域を清浄化されていない環境空気から分離するためにエアカーテン内に誘導された空気の流れを生成するように構成された１組の分散空気吹出口を備えてよい。前記個人用立体呼吸インターフェースは、ユーザの周囲呼吸近接域内の誘導された空気の流れを清浄されていない環境空気から分離するために空気遮蔽を生成するように構成された１組の空気吹出口をさらに備えてもよい。空気吹出口のその１組は、ハニカム構造を有する層流化ノズルを備えてよい。前記個人用立体呼吸インターフェースの幾つかのバージョンは、空気吹出口の付加的な１組をむ。該空気吹出口のこの付加的な１組は、ユーザの周囲呼吸近接域を清浄化されていない環境空気から分離するために１つ以上のエアカーテンを生成してよい。
【０００６】
本技術の幾つかのバージョンでは、前記個人用立体呼吸インターフェースは、スカーフ、シャツ、シャツカラー、眼鏡、バイザー、ゴーグル、ネックレス、帽子、ヘッドセット、リストバンド、手袋などのファッションアクセサリを備えてよい。前記個人用立体呼吸インターフェースは、空気の流れを導くためにユーザ・フロー・インターフェースの長さに沿って複数の吹出口を備えてよい。
【０００７】
本技術の一形態は、顔面接触を持たないで空気をユーザに提供する個人用立体呼吸インターフェースを備える。該個人用立体呼吸インターフェースは、頭部接触を持たないでユーザに空気を提供してもよい。
【０００８】
本技術の一形態は、プレブロワ・フィルタ、ブロワ及びポストブロワ・フィルタを含む流れ発生器を備える。該ブロワはモータとインペラを含んでよい。該流れ発生器はまた、多段ブロワを含んでよい。前記流れ発生器はバッテリ動作に対応するように構成されてもよい。前記流れ発生器はバッテリ電源を含んでよい。
【０００９】
本技術の幾つかのバージョンでは、前記装置は並列流れ構成において又は直列流れ構成においてを複数のインペラを備えてよい。
【００１０】
本技術の一形態は、コントローラと、アロマディスペンサーとを備える。該コントローラはエンタテインメント・トリガ信号に応答してアロマディスペンサーから誘導された空気の流の中へアロマの放出を選択的に起動するように構成されてもよい。前記コントローラはエンタテインメント・トリガ信号を無線で受信するための通信用インターフェースを備えてよい。該アロマディスペンサーは、アロマを含有する交換可能なアロマカートリッジを受容するように適応されてよい。該アロマディスペンサーは、異なるエンタテインメント・トリガ信号に応答して異なるアロマを放出するようにさらに構成されてもよい。該アロマは臭い粒子及び／又は味粒子を含んでもよい。コントローラは検出された生理的なデータに基づいて前記装置の前記アロマディスペンサーの動作用のエンタテインメント・トリガ信号を発生するように構成されてもよい。
【００１１】
本技術の幾つかのバージョンでは、前記装置は装置の１つ以上の汚染フィルタの動作を設定するように構成されたコントローラを含んでよい。前記装置は該コントローラと連結された１つ以上の空気質センサさらに含んでよく、前記コントローラは、１つ以上の空気質センサからの信号に応答して１つ以上の汚染フィルタの動作を設定するように構成されている。
【００１２】
本技術の幾つかのバージョンでは、前記装置はコントローラを備えてよい。該コントローラは前記装置の位置を検出して該位置の検出に基づいて前記１つ以上の汚染フィルタの動作を設定するために位置センサとともに構成されてもよい。前記コントローラは通信用インターフェースを含んでよい、かつ前記コントローラは外部気象又は汚染データを要求及び受信しかつ前記受信された外部気象又は汚染データに基づいて前記１つ以上の汚染フィルタの動作を設定するように構成されている。
【００１３】
本技術の幾つかのバージョンでは、前記装置はそれの検出された環境に基づいて自己構成可能であってもよいコントローラを備えてよい。この点に関しては、該コントローラは前記ユーザの生理的なデータを検出するように構成された１つ以上のユーザセンサとともに構成されてもよい。前記コントローラは、前記１つ以上のセンサからの信号に基づいて前記装置の動作を設定するように構成されてもよい。前記生理的なデータは、心拍数データ、発汗データ、温度データ、ブレス流量データ、Ｏ２飽和データのうちの任意の１つ以上を含んでよい、そして前記１つ以上のユーザセンサは心拍数センサ、水分センサ、サーミスター、流れセンサ、酸素濃度計のうちの任意の１つ以上をそれぞれ備えている。前記コントローラは、前記生理的なデータをエンタテインメントコンソールへ通信するために通信用インターフェースを含んでよい。
【００１４】
本技術の幾つかのバージョンでは、コントローラは前記流れ発生器の動作を制御するように構成されてもよい。前記装置は外部プログラミング可能携帯処理デバイスとデータを送受信するために通信用インターフェースをさらに備えてもよい。
【００１５】
場合によっては、前記装置は液滴発生器を備え、前記装置のコントローラは前記誘導された空気の流れ内へ液滴を注入するために該液滴生成器を制御するように構成されている。前記コントローラはエンタテインメント信号に応答して前記液滴を注入することができる。前記装置は外部エンタテインメントコンソールから前記エンタテインメント信号を受信しうる。前記液滴は水であってもよい。
【００１６】
場合によっては、前記装置は少なくとも１つの加熱又は冷却要素を備え、前記装置のコントローラは、該加熱要素又は冷却要素の動作を設定することで前記誘導された空気の流れの温度を変化させるように構成されている。前記装置はエンタテインメント信号に応答して前記温度を変化させる。前記装置は外部エンタテインメントコンソールから前記エンタテインメント信号を受信する。
【００１７】
場合によっては、前記装置は前記個人用立体呼吸インターフェースの向きを検出し／又は風向と風速を検出するように構成された１つ以上のセンサを含んでよい、前記装置のコントローラは該センサからの信号に基づいて前記装置の動作を調節するように構成されている。前記１つ以上のセンサは風を検出する風力計と個人用立体呼吸インターフェースの向きを検出する加速度計を含んでよい。前記装置は前記検出された風及び／又は前記個人用立体呼吸インターフェースの向きに基づいて前記流れ発生器の動作の変化を制御するように構成されたコントローラを含んでよい。前記動作の変化は流れ方向の変化と流速の変化のいずれか片方を含んでよい。前記装置は検出された接近風の関数として最適な空気ノズルの向き及び／又は空気流速を判定するように構成されてもよい。
【００１８】
前記技術の幾つかのバージョンは、空気をユーザに提供するための装置を含む。該装置は流れ発生器を含んでよい。該流れ発生器は空気の流れを発生するように構成されてもよい。前記装置は前記流れ発生器と連結された個人用立体呼吸インターフェースをさらに含んでもよく、前記個人用立体呼吸インターフェースは前記流れ発生器用吹出口を備え、前記個人用立体呼吸インターフェースはユーザの周囲呼吸近接域内で前記空気の流れを誘導するよう構成されている。前記装置はコントローラと感覚粒子ディスペンサーとをさらに含んでもよい。前記コントローラと感覚粒子ディスペンサーはエンタテインメント・トリガ信号に応答して前記ディスペンサーから前記誘導された空気の流れの中へ感覚粒子の放出を選択的に起動させるように構成されてもよい。
【００１９】
勿論、前記態様の部分は本技術の準態様を形成しうる。また、前記準態様及び／又は態様の様々なものが様々な方法で組み合わされてもよいし、また本技術の付加的な態様又は準態様を構成してもよい。
【００２０】
本技術の他の特徴は、以下の詳細な明細書、要約書、図面及び請求項に包含されている情報を考察することから明らかになるであろう。
【００２１】
本技術は、添付図面の各図の中に、一例として図示されているものであり、限定によってではない、図中では同様の参照符号は同様の要素を指し、以下の図を含む。
【図面の簡単な説明】
【００２２】
【図１】本技術の幾つかの態様に係る実施例清浄空気システム及びエンタテインメントシステムのを示すフローチャートである。
【図２】本技術に適したブロワの一例である。
【図３Ａ】本技術に適したブロワの等角投影例である。
【図３Ｂ】本技術の幾つかの実施形態に適した混合チャンバ内のブロワの一例である。
【図４】本技術の幾つかの実施形態に適した単段ブロワの一例である。
【図５Ａ】本技術の幾つかのバージョンに適したデュアル・ステージ・ブロワの一例である。
【図５Ｂ】本技術の幾つかの実施形態に適した３段ブロワの一例である。
【図６】本技術の幾つかの実施形態に適した軸流ブロワの一例である。
【図７Ａ．７Ｂ．７Ｃ】本技術の幾つかのバージョンに適した多段ロータ及び該多段ローターから形成されてもよい軸流ステージの例である。
【図８Ａ】本技術の幾つかの実施形態に適した遠心多段アキシャルの断面図である。
【図８Ｂ】本技術の幾つかの実施形態に適した遠心多段軸流ブロワの一例である。
【図９Ａ．９Ｂ．９Ｃ】本技術の幾つかのバージョンに適した遠心多段軸流ブロワと互換性があるロータの一例の図である。
【図１０Ａ．１０Ｂ】本技術の幾つかのバージョンに適した外側ハウジングの一例の図である。
【図１１Ａ．１１Ｂ】本技術の幾つかのバージョンに適したモータハウジングの一例の図である。
【図１２】本技術の幾つかの実施形態に適したエアカーテンシステムの一例である。
【図１３】本技術の幾つかのバージョンに適したアロマを送達するためのシステムを示すフローチャートである。
【図１４】本技術の幾つかの実施形態に適した流れ発生器デバイスの概略図の一例である。
【図１５】本技術の幾つかの実施形態に適した感覚刺激剤注入デバイスを有する流れ発生器デバイスの概略図の一例である。
【図１６】本技術の幾つかのバージョンに適した空気送出用の眼鏡をユーザ・フローインターフェースの一例である。
【図１７】本技術の幾つかの実施形態に適した空気送出用ヘッドセットを含むユーザ・フロー・インターフェースの図示である。
【図１８】本技術の幾つかの実施形態に適した送出ノズルの図示である。
【図１９】本技術の幾つかのバージョンに適した空気の送出及び除去用ヘッドセットを含むユーザ・フロー・インターフェースの図示である。
【図２０】本技術の幾つかの実施形態に適した空気送出用の自己調節可能／再位置決め可能グースネックの一例である。
【図２１】本技術の幾つかのバージョンに適した空気の送出が対象にされてもよいゾーンの一例である。
【図２２】、本技術の幾つかのバージョンに適した隠れた布インターフェースの図示である。
【図２３】本技術の幾つかの実施形態に適した隠れた布地インターフェースの側面図である。
【図２４】本技術の幾つかのバージョンに適したスカーフの中に収容された隠れた布地インターフェースの図示である。
【図２５】本技術の幾つかの実施形態に適した空気の送出用ハットを含むユーザ・フロー・インターフェースの図示である。
【図２６】本技術の幾つかの実施形態に適した空気の送出用ストラップを含むユーザ・フロー・インターフェースの図示である。
【図２７】本技術の幾つかの実施形態に適した手袋を含むユーザ・フロー・インターフェースの図示である。
【図２８】本技術の幾つかのバージョンに適したカラー、シャツ、ゴーグル、及びマスクを含むユーザ・フロー・インターフェースの図示である。
【図２９】本技術に適した２つのノズル分注（ｄｉｓｐｅｎｓｉｎｇ）設計の図示である。
【図３０】本技術の実施形態に適した空気流の位置及び強さを調節するための風力計の図示である。
【図３１】本技術の一実施形態を示す空気供給の散布図である。
【図３２】本技術の実施形態に適したユーザのサジタルビュー及びユーザ・フロー・インターフェースの図示である。
【図３３．３４】本技術の実施形態のための供給質量の割合シミュレーションの図示である。
【図３５】は、本技術の幾つかのバージョンにおけるコントローラの一例を示す。
【図３６Ａ．３６Ｂ】本技術の実施形態に適した受動型清浄空気システムの図示である。
【図３７Ａ．３７Ｂ】本技術の実施形態に適したコンパクトブロワの図示である。
【図３８】本技術の実施形態に適した受動型フィルタの図示である。
【図３９】本技術の実施形態に適した清浄空気サーバーシステムのブロック図を示す。
【図４０】本技術の幾つかのバージョンに適したハイドレーション・バックパックを含むユーザ・フロー・インターフェースの図示である。
【図４１】本技術の幾つかのバージョンに適したノーズクリップを含むユーザ・フロー・インターフェースの図示である。
【図４２】本技術の幾つかのバージョンに適したマウスピースを含むユーザ・フロー・インターフェースの図示である。
【図４３】本技術の幾つかのバージョンに適したスポーツバンドを含むユーザ・フロー・インターフェースの図示である。
【図４４】本技術の幾つかのバージョンに適したスライド式マスクを含むユーザ・フロー・インターフェースの図示である。
【図４５】本技術の幾つかのバージョンに適した直列に連結された１段以上から構成されるブロワの例示的なファン曲線の表である。
【図４６】本技術の幾つかのバージョンに適した直列及び／又は並列に連結された１段以上から構成される様々なブロワの例示的なファン曲線である。
【発明を実施するための形態】
【００２３】
本技術がさらに詳細に記載される前に、本技術が本明細書に記載される特定の実施例に限定されないことが理解されるべきであり、これらの特定の実施例は変更されうる。この開示に用いられている用語が本明細書に論述される特定の実施例を説明することを目的として、かつ限定することを意図していないことがまた理解されるべきである。
【００２４】
４．１  概要
一形態において、本技術は清浄化空気などの空気を、ユーザに提供することを目的としている。ユーザのニーズに応じて、ある特定の装置は清浄化空気の流れを提供するの使用されてもよい。例えば、図１の清浄空気システム（ＣＡＳ）１０１はフィルタ１０３、及び空気などの、加圧呼吸ガスをチューブなどの、空気送出導管１６０４を介して、ユーザへ供給するための流れ発生器１６０３を含んでよく、ユーザへ空気を出力することができるユーザインターフェース１０４に至る。
【００２５】
場合によっては、本技術はより没頭型の「４次元」（４Ｄ）エンタテインメント体験を提供するように実装されてもよい。このようなシステムは、視覚と聴覚を越えた感覚体験を提供することができる。例えば、該システムは臭い、接触、又は味の刺激を通じてエンタテインメントを提供することができる。また、システムはユーザに対して湿度と温度の変化を提供することができる。図１の実施例エンタテインメントシステム１０２は、例えば、ＣＡＳ１０１用に実装されているようなものである、フィルタ１０３に連結された流れ発生器１６０３を含んでよい。しかしながら、ユーザ・フロー・インターフェース１０４及び空気流れ発生器１６０３はまた、感覚モニタリング及び刺激部１０５に連結されてもよい。該感覚モニタリング及び刺激部１０５は、エンタテインメント（例えば、映画、ゲーム、広告、その他）の形態と連動したようなユーザの体験を操るようにユーザ・フロー・インターフェース１０４に提供される空気に適応するように実装されてもよい。
【００２６】
幾つかの実施例では、本技術のシステムはユーザに空気の流れを提供する前にその空気の流れから粒子を濾過するためにフィルタ１０３を採用してもよい。フィルタ１０３は揮発性ガスとともに臭い、バクテリア、及びウイルスを周囲空気から除去する能力を有してもよい。該フィルタを通過した空気は次いでユーザに提供されてもよい。該フィルタはシステムに容易に設置することができかつシステムから容易に取り除くことができるカートリッジの形態であってもよい。異なるフィルタがユーザのニーズに応じて異なる濾過方式を提供してもよい。例えば、幾つかのフィルタが臭い除去をもたらすものであれば、一方他のカートリッジがバクテリア除去をもたらすものであってもよい。幾つかの実施例では、多重フィルタ１０３が利用されてもよい。例えば、プレフィルタが流れ発生器１６０３の吸込口に、かつ一次フィルタが流れ発生器１６０３の吹出口に設置されてもよい。
【００２７】
幾つかの実施形態では、ユーザ・フロー・インターフェース１０４は、エアカーテンの生成によって空気をユーザに送達することが意図されている。該エアカーテンは周囲環境を２つの別個の環境、内部環境と外部環境に分割してもよい。該内部環境は、清浄化空気又は粒子、香り、湿度、温度、などの制御された感覚特性を有する空気がユーザの気道まで送達されることを可能にしてもよい。オプションとして、ＣＡＳ１０１のユーザ・フロー・インターフェース１０４は、衣類（例えばスカーフ又はタートルネックセータ）の品目の中に隠されてもよい。その代りに、それは医療器具ではなくファッションアクセサリのように視覚的に見えるようにカモフラージュされてもよい。ユーザ・フロー・インターフェース１０４は、顔又は頭との接触を回避又は排除するように実装されることができる。そこで、典型的にはユーザの顔に対して形成されるシールはないであろう。従って、ユーザ・フロー・インターフェース１０４は、ユーザの視線との干渉を最小限に抑えることができるであろう（すなわち、ユーザの視線から外れることができる）、かつ第三者の目にとまりやすいものにはならないであろう。
【００２８】
センサは、周囲風状態及び汚染レベルなどの、周囲環境を感知するために、ユーザ・フロー・インターフェース１０４又は流れ発生器１６０３上に又はそれらに接近して位置してもよい。また、センサは心拍数や体温などの健康指標を測定できるものであってもよい。センサによる情報読み取りはリアルタイムにログされ、また後で再現されてもよい。これらのセンサは、流れ発生器１６０３と同じ又は異なるハウジング内に収納されてもよい。ＣＡＳ１０１のユーザ・フロー・インターフェース１０４と同様に、センサは衣類（例えばスカーフ又はタートルネックセータ）の品目の中に隠れていてもよい。その代りに、センサは医療器具ではなくファッションアクセサリのように視覚的に見えるようにカモフラージされてもよい。センサは、顔又は頭と不必要な接触をしてはならない。それに応じて、センサはユーザの視線を制限してはならない。
【００２９】
情報はセンサから又はオンラインリソースから受信されてもよい。このような情報はスマートフォン、オンラインプロファイル若しくは他のインターネット接続バイスを介してなどフィードバックをユーザに提供するために利用されてもよい。一実施例において、システムはその日に要求される濾過の強さを評価するために天気予報又はローカル空気質インジケータを調べてもよい。また、センサによって受信された情報は、ある特定のパラメータを調節するユーザのために警告をシステムに自動的に調節又は提供させるために利用されてもよい。例えば、風力計及び加速度計は、エアカーテンの指向角又は空気速度を調節することによってユーザ・フロー・インターフェース１０４  及び／又は流れ発生器１６０３にそれらの動作をリアルタイムに修正させるために使用されてもよい。センサによって記録された情報はまた、フィルタを交換すべきときにユーザに通知するために使用されてもよい。例えば、臭い除去用のフィルタはシステム内にあるかもしれないが、花粉除去用のフィルタは高い花粉読み取りの理由で推奨されてもよい。従って、システムはフィルタを取り換えるようにユーザに通知することができる。
【００３０】
本技術の幾つかの実施形態では、感覚モニタリング及び刺激部１０５は、利用されてもよい。感覚モニタリング及び刺激部１０５は、ユーザ・フロー・インターフェース１０４に対して空気によって実施されるて物理的効果を発揮するために香りカートリッジあるいは他の感覚カートリッジをを含んでよい。これらの香り及び感覚カートリッジは、容易に交換可能であってよい。また、カートリッジは、異なる香り、触感、及び温度を有する発射可能（ｐｒｏｊｅｃｔａｂｌｅ）な物質を含む多種多様な刺激剤を含有してもよい。これらの発射可能な物質は、任意の粘度、空気／水分比率、水分含有量、又は粒子サイズのもであってよい。
【００３１】
流れ発生器１６０３は、手頃な、持ち運び式ユニットとして構築されてもよい。それに応じて、流れ発生器１６０３は、小型、軽量、及びバッテリ駆動としてもよい。流れ発生器１６０３は、ユーザの身体に着用又は装着されてもよい。それはまたユーザのベルト又はユーザの腕に着用されたストラップに取り付けてもよい。本技術の幾つかの実施形態では、フィルタ１０３、センサ、感覚モニタリング及び刺激部１０５、及び流れ発生器１６０３を同じ若しくは異なるハウジング内に収納することができる。空気送出導管１６０４はまた、流れ発生器をユーザ・フロー・インターフェース１０４に連結するものであり、てハウジングの内部若しくは外部に収納されてもよい。
【００３２】
幾つかの実施例では、流れ発生器１６０３は使用、気象、及び周囲状態に関するデータをアップロード／ダウンロードするために無線連結性を有してもよい。また、流れ発生器１６０３からのデータは、自己機能性を定量化する前に記録されてもよい。ユーザによって吸い込まれる清浄化空気の量は記録されてもよく、かつ使用されたフィルタカートリッジ／アロマカートリッジ／感覚粒子カートリッジの予測残寿命が記録されてもよい。
【００３３】
本技術の幾つかの実施例では、４Ｄエンタテインメントシステムは、ＳｏｎｙのＰｌａｙｓｔａｔｉｏｎ、ＭｉｃｒｏｓｏｆｔのＸｂｏｘ、若しくはＢｌｕ−ｒａｙプレイヤー若しくはＳｍａｒｔＴＶのような他のメディアプレイバックデバイスなどの任意のゲームコンソールと連結されてもよい。これらのデバイスへの接続は、無線又は無線接続を介してであってもよい。この４Ｄエンタテインメントシステムは、データをこれらのデバイスへアップロード及び／又はダウンロードしてもよい。
【００３４】
４．２  流れ発生器
４．２．１  緒言
清浄空気システム（ＣＡＳ）及び４Ｄエンタテインメントシステムは両方とも空気をユーザに提供するためにエアカーテンを生成してもよい。エアカーテンシステムは典型的には代表的なマスクインターフェースから提供される気道陽圧（ＰＡＰ）療法から提供される量よりも著しく高い空気流量を要求する。周囲空気圧力に対する、陽空気圧がエンクロージャの外部から空気の侵入を防止するためにエアカーテンによって維持されたエンクロージャ内に維持されてもよい。典型的にはこのような陽圧は、低い陽圧で十分でありうるので、ＰＡＰ療法によってユーザの顔において達成されるよりも低くてもよい、これに対してＰＡＰ療法にとっては圧力はユーザの気道を開けかつ開状態に維持するのに十分なものでなければならない。
【００３５】
エアカーテンを生成するシステムによって提供される空気の流れは、高い流量において空気を提供することができる。加えて、ブロワ全体にわたる要求圧力（すなわちブロワの吸込口からブロワの吹出口までの圧力利得）は大きくなりうる。例えば、ブロワがシステム内の圧力損失に打ち勝つ必要が依然ありうる。例えば、空気圧力は、空気の流れがフィルタ１０３、空気送出導管１６０４、ユーザ・フロー・インターフェース１０４及びそれらの間のコネクタのうちの１つ以上を通って移動するのでブロワの吹出口とユーザの顔との間でかなり低下しうる。ブロワの吹出口とユーザの顔との間の圧力差は、空気圧経路（例えば横断面形状及び面積、経路の長さ）の幾何形状、使用されたフィルタの形式、及び使用されたフィルタ寸法を含むがこれらに限定されない、複数の他のパラメータの基づいてさらに変わりうる。
【００３６】
このようなわけで、ユーザの顔における陽空気圧を生成しながら高い流量を発生する流れ発生器１６０３が望ましい。従って、ある特定のモータ及びブロワが、他のものよりタスクにより適合している。
【００３７】
４．２．２  モータ・ブロワ
ブロワは直列多段を有するように構成されてもよい。すなわち、１つのブロワステージがもう１つのブロワステージから出る空気の流れを受け取るように構成される。このような構成を有することによって、空気の流れの圧力が増大しうるが、同じ流量が維持されうる。このようなブロワの例としては、ＰＣＴ特許出願ＷＯ２０１３０２０１６７及びＷＯ１９９８０６４４９に開示されたものが挙げられるが、２段、３段、４段以上のデザインで構成されたブロワを開示している。
【００３８】
多段直列で構成されたブロワは、その目的が、患者インターフェースにおいて最大３０ｃｍＨ２Ｏ（水柱）を提供することによるなど、ユーザの気道を開けるのに十分な圧力を提供することにあるＰＡＰ用途に一層好適でありうる。ブロワは典型的には回転運動をもたらすモータを備えており、またモータの最大回転数がモータの設計の一環として予め決定されていることが多い。そこで、所望の空気圧力を達成するために、ブロワの追加段を直列に導入して同じ回転数で空気圧力を増大させるようにしてもよい。図４５は４６．８ｋＲＰＭにて回転するブロワの代表的なファン曲線であり、所定の回転数（例えば、モータ）用のブロワから出る空気流の圧力を増大させるために直列に連結された１段以上を備える。図４５を見て分かるように、追加段が直列に導入されているので、たとえブロワの回転が増大しなくても空気圧力を増大させることができる。
【００３９】
より大きな流量が望ましい用途には、直列ブロワ配置が適さないことがある。例えば、流量がＰＡＰデバイスの典型的な、又は最大予測流量を超える場合、後述されるようにより低い圧力特性の場合にはエアカーテン配置が実装されてもよい。また、マスク及び通気孔（例えば連続通気孔又は可変に構成された通気孔）を備える空気濾過システムはより高い流量を要求することがある。目をさましているユーザの方が、睡眠中のＰＡＰユーザと比べて１回の呼吸量がより多くなるからである。ユーザが適度な運動（例えばウオーキング、バイク乗り、ゴルフ）などの身体活動を行っているならば、ユーザの１回の呼吸量はさらにより多くなりうる。また、作業者はより多い１回の呼吸量を必要としうる、及び作業者は建設現場のような潜在的に汚染された環境の中で作業している場合がある。エアカーテン配置内では提供される圧力は、ＰＡＰ療法を受けている患者に提供されるものよりも遥かに低い。空気圧を介して人の気道を開ける必要があるＰＡＰデバイスというよりもむしろ、気流（ａｉｒ−ｃｕｒｒｅｎｔ）配置から離れた圧力は、空気侵入を防止するために周囲に対する陽圧において濾過空気を提供することだけを必要とする。
【００４０】
図４６は、所定の回転数（例えば、モータ）用のブロワから出る空気の流れの流量を増大させるために並列に実装された多段ブロワなどの、様々なブロワ実装の代表的なファン曲線である。
【００４１】
図４６は、所定の流量（例えばグラフにに示されるように５０リットル／分）、直列連結されたブロワの追加段の導入は、ブロワ吹出口における圧力をかなり増大させるが、これに対してブロワの追加段が並列に連結されている場合には、ブロワ吹出口における圧力は、ほとんど変化しないままであることを示している。並列に連結されたブロワの追加段の導入は、所定の圧力（例えばグラフに示されるように１５ｃｍＨ２Ｏ）についてはブロワ吹出口における流量を増大させる。これに対して直列連結されたブロワの追加段は、ブロワ吹出口における流量に大幅な影響を及ばさない。したがって、並列に連結されたブロワは、圧力増を伴なわずにより大きな流れが提供されるのでエアカーテン配置にとってより有益になりうる。
【００４２】
空気濾過用途に適したブロワの一実施例は、並列の複数段を備えかつ図２に示されるように単一軸によって駆動されるブロワでありうる。このようなブロワは第１の端部における第１の吸込口２０１と、第２の端部における第２の吸込口２０２、シャフト２０５とを備えてよい。該シャフト２０５は、第１のインペラ２０３と第２のインペラ２０４に固定結合されてもよい。該第１のインペラ２０３と第２のインペラ２０４はシャフト２０５によって駆動されてもよい。ブロワはまた、増大した圧力において第１の吸込口２０１と第２の吸込口２０２によってそれぞれ受信された空気の流れを送出するために第１の及び第２の吹出口（図示せず）を備えてもよい。高流量低圧力の適用内で、スクロール吹出口が使用されてもよい。スクロール吹出口は効率向上をもたらしうる、それによってバッテリをベースにした使用に対しては電力消費量削減を可能にする。また、スクロール吹出口は、小型化が梱包において達成されることを可能にしうる。
【００４３】
図３Ａは、並列２段を有するブロワ３００のアイソメ概略図を示す。該ブロワは２段３０１及び３０２及びモータ３０７をを有してもよい。空気は２つの吸込口３０３及び３０４から吸い込まれかつ２つの吹出口３０５及び３０６を通って押し出されてもよい。ブロワから出る空気の流れは、幾つかの実装では、１つの流れを形成するように組み合わされてもよい、その代りに、例えばユーザの異なる部位に導かれるように別々のままでもよい。幾つかの形態では、エアカーテン式デバイスは、エアカーテンを提供する吹出口と呼吸のためにユーザに新鮮な空気の流れを提供する吹出口など、多段吹出口を備えてよい。このような形態では、第１の吹出口からの空気の流れがエアカーテンの流れを提供することができ、かつ第２の吹出口からの空気の流れがユーザに新鮮な空気の流れを提供することができる。
【００４４】
別の実施例では、ブロワは図３Ｂに示されるように、個別の吹出口から下流にを混合チャンバを備えてよい。該混合チャンバ３１０は、ブロワ３００を収納してもよく、またブロワ・ステージ３０１及び３０２から複数の流れを受け取り、かつ複数の流れを結合して１つの空気の流れを形成する。ブロワ・ステージ３０１及び３０２に提供された空気は、混合チャンバ内の吸込口３１１を通って受け取られてもよい。該１つの空気の流れが、吹出口３１２を通って出力されてもよい。幾つかの形態では、混合チャンバはマフラーとして機能するように構成することによるなど、発生した騒音の量を低減するよう構成されてもよい。該混合チャンバは、１つ以上の音響発泡体、ヘルムホルツ（Ｈｅｌｍｈｏｌｔｚ）チャンバー、及びバッフル、その他を備えてもよい。混合チャンバはトーンノイズ及び／又はブロワによるノイズ出力低減するように構成されてもよい。
【００４５】
エアカーテンを提供するのに適したモータの別の適した実施例は、図４に示されるような単段ブロワであってもよい。該単段ブロワはモータ４０５、高さと半径との間の比較的に小さいアスペクト比を有するシングル・インペラベーン４０２、シャフト４０３、吸込口４０１、及び吹出口４０４を備えてよい。幾つかの実施形態では、インペラは、所定の回転数においてブロワを通って流れつつある空気の大容積流量を送出するために、インペラの半径の一部分より大きな高さを有してもよい。
【００４６】
前述した通り、マルチプル・ブロワステージを有するモータが使用されてもよい。図５Ａと図５Ｂは、マルチプル・ブロワステージを有するモータを示す。図５Ａは、２段ブロワを示し、図５Ｂは３段モータを示す。このようなブロワは吸込口５０１、吹出口５０４、シャフト５０２及びモータ５０３を備えた遠心ブロワであってもよい。同様なブロワの実施例が、ＰＣＴ特許出願第ＷＯ２０１３０２０１６７号により詳細に記載されている。このようなブロワは、直列に配置されたブロワステージを含み、また従って、同様に  構成された直列ブロワステージを備える配置と比較して、吹出口において要求される圧力が比較的に高い、用途に適していると思われる。
【００４７】
図６に示されるように、軸流ブロワは本出願に適していると思われる。軸流ブロワは遠心ファンと比較して典型的には比較的に低い圧力に対して高い量を発生させることができる。図６に示されるように、軸流ブロワはモータシャフト６０２に結合されたロータ６０３と、ロータを取り囲みかつステータベーンを備えるブロワハウジング６０１とを備える。ブロワは、複数のステージ６０４を備えてよい、その各々は１つ以上の別個の構成要素上に位置していてもよい、あるいは複数のステータ又はロータステージは単一の構成要素上に位置していてもよい。以下に示されるように、軸方向に分離している。
【００４８】
図７Ａは、図６に示される軸流ブロワと互換性のあるロータの一実施例である。多段ロータはモータと結合するための軸方向レセス７０３を含む単一の、成型された本体７０３に形成されてもよい。マルチプル・ロータステージは、ロータの単体に一体形成されている。一体形成された単体ロータは製造コストを低減でき、部品数を低減でき、かつ製造公差をも低減し得る。各ステージ７０２は、互いに軸方向に整列されるようにかつ同じ幾何形状に示されている。図７Ｂ及び図７Ｃは、図７Ａのロータによって形成されてもよい軸流ステータ・ステージを示す。ロータ・ステージ７０４は、軸流ステータ・ステージ形成するようにブロワハウジング７０５と整列してもよい。幾つかの形態では、ステージは軸方向に整列される必要がないし、また各個別のステージは別のステージとは異なる配置になっていてもよい。
【００４９】
好適なブロワの別の実施例は、図８Ａ及び図８Ｂに示されるように、遠心ステージ及び軸流ステージの両方を備えるものでもよい。図８Ａ及び図８Ｂに示されるように、ブロワは第１のステージとして遠心ステージ８０１を備えてよい。遠心ステージから空気が２つの軸流ステージ８０２及び８０３を通ってブロワ内に形成された環状経路に沿って下流に移動しうる。該構成は、ある特定の実施例に適合するように空気流に対して圧力増及び流れ増の組み合わせをもたらしうる。
【００５０】
吸込口に向けて位置決めされた上部に遠心ステージを備える、ロータが図９Ａ〜図９Ｃに示されている。該ロータはインペラブレード９０３及びインペラ・シュラウド・ディスクを備えてよい。また、ロータは軸流ブレード９０２がその上に形成されている軸方向に延びる壁９０１を備えてよい。該軸方向に延びる壁はまた、そこを通って空気の流れが移動する環状流れ経路の一部を形成する。該形態におけるロータはまた、円形キャビティ９０４を備えてよく、それを介してロータがモータに結合されている。
【００５１】
図１０Ａ及び図１０Ｂは、内壁付き外部ハウジング１００１の第１の半分を示す。ステータベーン１００２は、内壁上に形成されてもよい。該外部ハウジング１００１は、ブロワの遠心ステージ及び軸流ステージ用のステータベーン１００２が両方とも直線壁上に形成されるように構成されている。このような構造はハウジングの製造可能性を改善しうる。外部ハウジング１００１の２つの半分割の各々が互いに係合するように構成されたキー及び相補レセスを備えてよい。複数の部分における外部ハウジング１００１の構造は、各部分がステータ・ベーン１００２と一体成型されかつ内壁から内側へ突出することを可能にする。
【００５２】
モータはモータハウスとともに収納されてもよい。図１１Ａ及び図１１Ｂは、モータハウジングの一例を示す。該モータハウジングは、シャフトがそこから突出することができるキャビティ１１０１を含んでよい。また、モータハウジングは空気の流れのための一組の吹出口キャビティ１１０４を含んでよい。モータハウジングはまた、モータハウジングをモータに接続するための接続点１１０２及び１１０３を含んでもよい。
【００５３】
エアカーテンシステムに使用されてよいモータの別の実施例は、テスラブロワであってもよい。テスラブロワは、ブロワにスリムプロファイルをもたらしうる薄い平坦なディスクを有してもよい。したがって、ブロワは容易に隠すことができかつ目立たないようにすることができる。テスラ（Ｔｅｓｌａ）ブロワはブレード無しであるので、テスラブロワはトーンノイズ出力を発生させないで作動することができる。
【００５４】
４．２．２．１  本技術のためのモータ−ブロワ
上記のブロワの１つ以上は、エアカーテンデバイス、患者インターフェースを備えた空気濾過デバイス若しくはエンタテインメント・エアシステムなどの本技術の実施例に使用するのに適したものとしてもよい。
【００５５】
適切なブロワの設計及び選定は、システムの意図された使用及び形状又はサイズに応じて変えてもよい。ブロワは出力流れ及び／又は圧力を変化させるためにサイズの増大又は縮小をしてもよい。しかしながら、適切なブロワ構成の設計は、そのユーザに対して目障りであることを最も少なく提示しかつ電力消費量を最小限に抑えることによってその動作時間を最大化するであろう本技術用のブロワの設計を可能にするであろう。例えば、直列で多過ぎるステージを有するブロワは、結果的に実用に供するブロワとしては大き過ぎるものになりうる。
【００５６】
ブロワがユーザへの空気の流れの送出点より近位に、例えばユーザの肩の上に、位置していてかつ空気送出導管が比較的に大径、例えば１９ｍｍ内径であれば、低い圧力において所望される流量を提供することができるブロワは十分でありうる。このようなブロワは単段遠心ブロワ又は多段軸流ブロワであってよい。しかしながら、より高い流量が所望されるならば、遠心ブロワを並列に連結された複数のブロワステージを備えてよい。
【００５７】
別の実施例では、ブロワはユーザへの空気の流れの送出点より遠位に、例えばユーザの腰の上に位置していてもよい。ブロワが狭いチューブによってユーザ・フロー・インターフェースに連結されているならば、ブロワは高い圧力を提供できることを必要とする。したがって、ハイブリッド軸流及び遠心ブロワが適切であるとされてもよい。
【００５８】
４．２．３  エアカーテン
エアカーテンは、周囲環境を、内部環境と外部環境の、２つの別個の環境に分割するために発生されてもよい。内部環境はエアカーテンシステム（例えば、ユーザ・フロー・インターフェース）から到来する空気を実質的に含有するのに対して、外部環境はエアカーテンシステムを通って行かなかった空気を含有する。周囲空気圧に対して、陽空気圧、又は等価空気圧は、エアカーテン「エンクロージャ」の外部から空気の侵入を防止するためにエアカーテンによって維持される内部環境内に維持されてもよい。
【００５９】
「エアカーテンシステム」の概略図は図１２に示されている。概略図においてブロワ１２０２は空気ダクト１２０１の近くに位置している。該ブロワ１２０２は圧力低下を最小化しかつバッテリ寿命を最大化するために空気ダクト１２０１の近くに位置している。例えば、空気圧力は、空気流れがフィルタ１２０４、導管、及び空気ダクト１２０１を通って移動するので、ブロワの吹出口と及びユーザの顔との間でかなり低下する可能性がある。ブロワの吹出口とユーザの顔との間の圧力差は、空気圧経路の幾何形状（例えば横断面形状及び面積、経路の長さ）、使用されるフィルタの形式、及び使用されるフィルタの寸法を含むが、それらに限定されない複数の他のパラメータに応じてさらに変わりうる。ブロワ１２０２及びフィルタ１２０４は、流れ発生器の一部であってもよい。
【００６０】
図１２のシステムにおいて、空気ダクト１２０１は、例えば、長さ２５ｃｍ及び直径１９ｍｍであってよい、またブロワ１２０２はノイズ・エンクロージャ１２０３内に懸垂されていて、大きな吸込口フィルタ１２０４をが有している。図１２のシステムは、例えば１５０リットル／分の一定の流れ及び例えば１２ｃｍＨ２Ｏのブロワ両端の圧力を有してもよい。推定電力消費量は１３Ｗであってもよい。フィルタ１２０４、導管、及び空気ダクト１２０１は、圧力損失の原因になりうる。実施例エアカーテンシステムにおいて、空気ダクト１２０１は恐らく、例えば、０．２５ｃｍＨ２Ｏの圧力損失を有する可能性があり、またフィルタ１２０４は４ｃｍＨ２０の圧力損失を有する可能性がある。また、各空気送出導管は０．１ｃｍＨ２Ｏの圧力損失を蒙りうる。したがって、１Ｗの静止電力を想定すると、６セルバッテリ（１２Ｗｈセル容量）は初期状態で４．８時間もたせることができるであろう。提供される個数が代表的でありかつ同じ技術を用いた他の個数及び範囲が可能であることに留意されたい。
【００６１】
適正な流れ角は、エアカーテンシステムから空気を提供するに際してより高い効率を発揮しうる。空気の流量は、エアカーテンシステムのユーザによって吸い込まれる空気の割合を増加させることに関しては流れ角に比べて余り影響を及ぼさない。図３１に目を参照すると、０％〜９０％の範囲に及び、ユーザによって吸い込まれるエアカーテンシステムによって提供される空気の割合を示すシミュレーションの結果が、Ｙ軸上に提示されている。シミュレーション中に読取り値が様々な角度、距離、及び流量において取られた。図３１に示されるように、Ｑｉｎｌｅｔとラベルされた、１５０リットル／分（秒当たり２．５メートル）及び３００リットル／分（秒当たり５メートル）における２つの流量が使用された。２つの流量の各々が、空気ダクトなどのユーザ・フロー・インターフェースとユーザの鼻孔との間で測定された３つの異なる距離（ｍｍ単位）において適用された。これらの距離は図３１内にＡｎｔｅｒｉｏｒＯｆｆｓｅｔ（前方オフセット）とラベルされている。各距離について、鼻孔に対するユーザ・フロー・インターフェースの吹出口の流れ角の範囲が度単位で測定されかつ流れ角（α）とラベルされてＸ軸上に示されている。シミュレーションのすべての測定値が、周囲空気速度は無しで摂氏２５度の周囲空気温度において取られた。図３２は、どのように前方オフセット距離（ＡｎｔｅｒｉｏｒＯｆｆｓｅｔ）と流れ角（α）が測定されたかのサジタルビューを示している。
【００６２】
図３１の散布図を見ても分かるように、ユーザによって吸い込まれる清浄化空気の割合に関する意義の優先度は角度（流れ角）、距離（ＡｎｔｅｒｉｏｒＯｆｆｓｅｔ）、次いで流量（Ｑｉｎｌｅｔ）である。流れが約４０度の流れ角を付けてユーザの気道に向けて導かれるので、ユーザによって吸い込まれる清浄化空気の割合は大抵のシミュレーションにおいて６０％より高い。
【００６３】
５０ｍｍの前方オフセットの場合のエアカーテンシステムからの空気の供給が、図３３に示されている。流れ角が１７度でありかつ流量が２．５メートル／秒である。図３３を見ても分かるように、エアカーテンシステムから供給される空気は、ユーザの鼻孔において約５０％である。図３４において、７５ｍｍの前方オフセットを有するエアカーテンシステムが示されている。流れ角が３０度であり流量が２．５メートル／秒である。図３４を見ても分かるように、ユーザの鼻孔におけるエアカーテンシステムから供給される空気は約７５％である。図３４において設けられたより高い流れ角は、エアカーテンシステムからより高い割合の清浄化空気をユーザに供給する。
【００６４】
４．３  スマート空気清浄化技術
エアカーテンシステムは、清浄空気システム（ＣＡＳ）を作成するために使用されことができる。該ＣＡＳは、濾過された空気をユーザに提供する前に空気から微粒子やガスを除去するために多段フィルタを備えてよい。ＣＡＳはまた、周囲空気から揮発性ガスとともに臭い、バクテリア、及びウイルスを除去する能力を有してもよい。空気を濾過した後、ＣＡＳは次いでユーザ・フロー・インターフェース１０４を通ってユーザに濾過された空気を提供してもよい。提供される空気は、少なくとも１つのエアカーテンの形態でよい。幾つかの実施例では、ＣＡＳはすべてのデータをディスプレイ上に通信してもよい。ＣＡＳは直接ハウジング上に制御機能を有してもよい。他の実施例では、ＣＡＳはすべてのデータをスマートフォン又はコンピュータプログラムへ通信してもよくかつオンライン・データベースを介して該データを提示してもよい。ＣＡＳはまた、スマートフォン、タブレット、コンピュータ、その他に表示されたグラフィカル・ユーザインターフェース（ＧＵＩ）によって制御されてもよい。
【００６５】
図１に示されるように、能動型清浄空気システムは流れ発生器１６０３、スマート・クリーンエア・フィルタリング１０３、及びユーザ・フロー・インターフェース１０４を含んでよい。該流れ発生器は、前述した任意のモータであってもよい、またフィルタとセンサを含むことができる。ＣＡＳの実施例実装が図１４に示されている。汚れた空気１４０１は最初にプレフィルタ１４０２を通過されることによって流れ発生器内へ引き込まれてもよい。該プレフィルタ１４０２は、モータ１４０３を損傷させる恐れもある周囲空気から粒子を除去する。該モータ１４０３は、図１４に示されるように、次いで一次フィルタ１４０４を通って空気を押し込んでもよい。該一次フィルタ１４０４は、周囲空気から望まれていない微粒子及び／又は揮発物質を除去してもよい。濾過された空気は、次いで清浄化空気１４０５としてユーザ・フロー・インターフェース１０４を通ってユーザへ出力されてもよい。
【００６６】
ＣＡＳは図３５に示されるように、流れ発生器１６０３の動作を制御するためにコントローラ３５０１をさらに備えてもよい。該コントローラ３５０１は、例えば流れ発生器の流量を調節するとともに流れ発生器によって発生された空気圧力を調節するために使用されてもよい。コントローラ３５０１は、ＣＡＳと同じハウジング内に収納されてもよい。ユーザ・フロー・インターフェース３５０４は、コントローラ３５０１を収納しているＣＡＳと直接結合されてもよい。汚れた空気３５０３は、次いでコントローラ３５０１を収納しているＣＡＳを介して濾過されてもよい、また清浄化空気が次いでユーザ・フロー・インターフェース３５０４へ送達されてもよい。コントローラ３５０１は、ユーザに流量、流れ圧力、流れ温度、及び流れ湿度などのＣＡＳの状況を調節させることを許容するためにタッチ画面を含んでよい。その代りに、コントローラ３５０１は、スマートフォン、タブレット、コンピュータ、スタンドアロンデバイスなどであってもよい、コントローラデバイス３５０２によって作動されてもよい。該コントローラデバイス３５０２は、ユーザにコントローラ３５０１を遠隔制御させることを許容するためにコントローラ３５０１と無線通信してもよい。
【００６７】
幾つかの実施形態では、ＣＡＳはブロワ又はコントローラを必要せずに受動的に動作するように構成されてもよい。例えば、図３６Ａに示されるように、ＣＡＳはカートリッジホルダー３６９０、送出導管３６７０及びフロー・インターフェース３６８０を含む送出システムから構成されてもよい。該カートリッジホルダーは、図３６Ｂに示されるように、カートリッジ３６２０を保持してもよい。該カートリッジ３６２０は、軽量でありかつ高い内圧に耐える能力を有する、金属又はプラスティックを含む１種以上の材料から構成されてもよい。カートリッジ３６２０は清浄、圧縮空気で充填されてもよく、送出導管３６７０を通ってユーザインターフェース３６８０まで空気を放出しうる。
【００６８】
送出システム（図示せず）上の調整弁は、送出導管３６７０を通ってユーザインターフェース３６８０までの圧縮空気の流量を制御しうる。このような送出システムは、ブロワもコントローラも必要としなくてよいので小型、軽量、及び動作が静かでありうる。幾つかの実施形態では、ユーザによって要求される場合、増加気流を提供することによって能動型ＣＡＳを補足するために受動型カートリッジ送出システムが使用されてもよい。また、受動型ＣＡＳはまた、能動型ＣＡＳに対するバックアップとして使用されてよい。この点に関しては弁調節器は能動型ＣＡＳがもしも作動不能になった場合に自動又は手動で開放されてもよい。
【００６９】
カートリッジ３６２０は再充填清浄器ベース３６１０によって圧縮、清浄空気が充填されてもよい。この点に関しては、再充填清浄器ベース３６１０は空気を濾過し、圧縮し、及びオプションとして湿らし及び／又は香りを漂わせることができる。カートリッジ３６２０は再充填清浄器ベース３６１０内に、充填口３６３０の中に設置されてもよい。該充填口３６３０は、カートリッジ３６２０上で、スプリングバルブなどの、弁３６２５を開いてもよい。再充填清浄器ベース３６１０は、次いで濾過され、圧縮され、及びオプションとして加湿された空気を開いた弁３６２５を通ってカートリッジ３６２０の中に注入しうる。充填口３６３０からカートリッジ３６２０を取り外し次第、弁３６２５は封止してもよい。カートリッジ３６２０は、１時間、若しくは、多かれ少なかれ、再充填する必要があるまで、作動するのに十分な圧縮空気を格納しうる。
【００７０】
再充填清浄器ベース３６１０は、インペラブロワを使用して空気を圧縮してもよい。この点に関しては、インペラブロワは空気を通口３６４０に吸い込んでもよい。通口３６４０は空気がインペラブロワを通過する前に空気から大きな粒子を濾過するためにイニシアルフィルタを含んでよい。インペラブロワは、次いで空気を充填キャニスタ３６２０の中に押し込んでもよく、またより多くの空気が充填キャニスタの中へ押し込まれるのでその空気を圧縮する。幾つかの実施形態では、ストラップ３６５０及びクリップ３６６０は、携携帯性のためにべースがユーザ又は他の物体にしっかりと固定されることを可能にするために再充填清浄器ベースに取り付けられてもよい。この点に関しては、再充填清浄器ベースはバッテリ又は有線電源を介して電力供給されてもよい。
【００７１】
幾つかの実施形態では、インペラブロワは水などの液体を蒸発させうる、１つ以上の加熱要素を通り越して空気を押し込んでもよい、それによって湿度を空気に加える。他の実施形態では、湿度はまた再充填清浄器ベース３６１０内で別個の水ウイックカートリッジを介してシステムへ導入されることができる。
【００７２】
幾つかの実施形態では、送出システムはデバイス内に生じうる任意のバクテリア及び／又は臭いを低減するために抗微生物材料ライニング及び／又は抗微生物小袋を含んでよい。このような抗微生物材料は、バクテリア及び臭いを吸収するために銀の糸、メリノ羊毛、又は竹炭を含んでよい。このような材料ライニング及び／又は小袋は取り外し可能、交換可能な、及び／又は洗濯可能としてもよい。エアカーテンシステムは携帯又は装着されてもよいように持ち運び可能及びコンパクトとして設計されうる。例えば、コンパクトブロワは、図３７Ａに示されるように、気流を発生させるためのインペラ３７２０、空気を患者インターフェースに送達するための導管７３０、及びコントローラ、バッテリ、及び／又はセンサが位置決めされてよいアタッチメント空間３７４０を含んでよい。加えて、コンパクトブロワ３７１０はまた、インペラ３７２０によって吸い込まれた空中浮遊粒子を除去するために吸気フィルタ３７７０を含んでよい。コンパクトブロワはストラップ３７６０とともにユーザ又は他の物体に取り付けられてもよい。
【００７３】
図３７Ｂを参照すると、コンパクトブロワ３７１０はストラップ３７６０を用いてユーザの体３７９０に取り付けられるように構成されてもよい。幾つかの実施形態では、コンパクトブロワ３７１０の幅は１０ｍｍ未満、若しくは多かれ少なかれ、それをポケット３７９５内に置ける程度であってよい。ポケット３７９５内に置かれている状態でコンパクトブロワ内に空気を吸い込むことができるようにエキステンダーが取り付けられてもよい。図３７Ｂにおけるコンパクトブロワ３７１０を保持するポケット３７９５の引き延ばした図示を参照すると、フィルタ・エキステンダー３７７５が吸気フィルタ３７７０に取り付けられてもよい。そういうものとして、吸気フィルタ３７７０は空気をエキステンダー３７７５を通ってコンパクトブロワ内に吸い込んでもよい。エキステンダー３７７５はポケットの外側とちょうど内側の境のところに位置している。幾つかの実施形態では、コンパクトブロワは、導管３７３０によって導入される流れの障害を低減するとともにユーザが頭を動かすときの抵抗を低減するためにユーザの頭の近くに置かれてもよい。
【００７４】
エアカーテンシステムが持ち運び可能であってよいので、バッテリ電源によって電力供給されてもよい。また、ユニットは、ユーザが医療器具を使用しているようには見えないように、視界から隠れるか若しくはカモフラージュできるようにすべきである。幾つかの実施形態では、エアカーテンシステムは、電力使用量を最小限に抑えるためにユーザが吸い込んでいる間だけエアカーテンを提供してもよい。
【００７５】
空気を清浄化するのに利用されるフィルタは、ＣＡＳの中に容易に設置できかつＣＡＳから取り外しできるカートリッジの形態で提供されてもよい。異なるフィルタはユーザのニーズに応じて異なる方式の濾過を提供してもよい。例えば、臭い除去を提供するフィルタもあれば、一方ではバクテリア除去を提供するカートリッジもある。幾つかの実施例では、濾過効果及び／又は効率を向上させるために多段フィルタ１０３が利用されてもよい。各フィルタが異なる種類の汚染物質の濾過を提供するので、マルチタイプのフィルタが同時に利用されてもよい。幾つかの実施形態では、ＣＡＳはユーザの環境の中に存在する微粒子及び／又は揮発物質に基づいて特定のフィルタを介して空気の流れを自動的に制御するために自己構成可能であってもよい。フィルタは必要とされない若しくはもはや正常に機能しない場合に容易に交換されてもよい。幾つかの実施形態では、気流に対して全く無いか若しくは極めて少ない障害しかもたらさない無制限フィルタが使用されてもよい。
【００７６】
一実施例フィルタ方式が高効率微粒子エアフィルタ（ＨＥＰＡ  Ｆｉｌｔｅｒ）である。米国政府規格によってＨＥＰＡとして資格を得るためには、エアフィルタはＨＥＰＡフィルタを通過する空気から０．３μｍ粒子の９９．９７％を除去しなければならない。ＨＥＰＡフィルタは空気がフィルタを通過するにつれて空気中の粒子を遮断することによって機能する。空気がＨＥＰＡフィルタを通過するにつれて、空気中の粒子は繊維に衝突させられて空気から除去される。
【００７７】
ＣＡＳにおいて利用することができるフィルタの別の実施例は分極媒体エレクトレットフィルタである。大抵の分極媒体電子エアクリーナは、分極電界を確立するために２４ボルト電流を安全なＤＣ電圧に変換する。空気中の粒子が電界を通過するにつれて、粒子は分極されてくる。該分極された粒子は使い捨て繊維媒体パッドに付着する。
【００７８】
イオナイザー清浄器は、ＣＡＳ内で使用されることができる別の方式のフィルタである。イオナイザー清浄器の使用は、帯電空気又はガスイオンを発生するために電気表面又は針を帯電させた。これらのイオンは、次いで空気がイオナイザー清浄器を通過するにつれて空気中の粒子に取り付く。粒子がイオナイザー清浄器を通過し続けるにつれて、粒子は帯電集塵板に吸着される。
【００７９】
熱力学殺菌フィルタがまた使用されてもよい。該技術は空気を２００℃（３９２°Ｆ）前後まで加熱することができる。空気が加熱されるにつれて、バクテリア、ウイルス、イエダニ・アレルゲン、糸状菌及び真菌胞子などの粒子が焼却される。もしかすると最高９９．９％の微生物粒子を熱力学殺菌フィルタを使用して除去することができる。
【００８０】
能動型炭素フィルタがまたＣＡＳにおいて使用されてよい。能動型炭素は分子ベースで揮発性薬品を吸収することができる多孔質材料である。能動型炭素フィルタは空気からオイルベーパ、臭い、及び他の揮発性有機化合物を除去するために圧縮空気及びガス浄化に通常使用される。
【００８１】
静電フィルタはまたＣＡＳにおいて使用されてもよい。該静電フィルタは材料の多層をサンドイッチ状に一括はさむことによって機能しうる。空気は次いでこれらの層を通過させてもよい。空気が材料の層を通過するにつれて、空気中の粒子が粒子とフィルタ層との間の摩擦の結果として帯電されうる。該帯電した粒子は、次いで該帯電粒子とは反対荷電のものであるフィルタ内の他の層に付着されてよい。
【００８２】
写真触媒酸化フィルタシステムはまた、ＣＡＳにおいて使用するのが可能である。写真触媒酸化フィルタシステムは有機汚染物質を完全に酸化及び劣化することができる。例えば、数百ＰＰＭ（百万分率）以下などの低濃度の揮発性有機化合物が完全に酸化される見込みが最も高い。写真触媒酸化フィルタシステムは触媒（通常二酸化チタン（ＴｉＯ２））を能動化させかつバクテリア及びウイルス酸化させるために短波紫外線を使用する。
【００８３】
表３は、以下に、フィルタ形式及びそれらのフィルタが効果的に除去しうる汚染物質の種類の概要を紹介する。
【００８４】
【表１】
2018504159.tif 000003
【００８５】
清浄空気システム（ＣＡＳ）はまた、システム、周囲の環境、及びユーザを監視するためにセンサ及び無線通信装置を収納する。無線通信装置はＧＰＳ、Ｂｌｕｅｔｏｏｔｈ、Ｗｉ−Ｆｉ、セルラーデータネットワークなどの形態にすることができる。センサ及び無線通信装置を介して得られた情報を利用することによって、ＣＡＳは受信されたデータに基づいて事後対応の保護をもたらすことが可能になる。ＣＡＳはまたユーザの健康及び環境を監視してもよい。
【００８６】
対処型保護は、清浄空気システム（ＣＡＳ）によって提供されてもよい。例えば、ＣＡＳは表３に掲げているものなどの汚染物質に関してリアルタイム連続的に監視してもよい。汚染物質が存在しているとＣＡＳが判定した場合、システムはユーザに連絡することができる。ＣＡＳはまた、ユーザに対して警告を発するためにセンサから受信された情報を使用してもよい。このような警告はＣＡＳ上に実装されているスマート汚染警告システムによって発生されてもよい。該スマート汚染警告システムは、可視又は可聴方式でデバイス上のセンサの現在又は履歴的読取り値を投影又は表示するためにＰＭ２．５センサなどの汚染センサからの読取り値を使用してもよい。そういうものとして、ユーザとともに、その近くに居合わせた他の人々はそれらの環境における汚染レベルを知らされてもよい。別の実施例では、ＣＡＳはユーザの現在位置の空気温度及び汚染物質含有量が呼吸器疾患などの健康状態を引き起こす可能性がありうることを指摘するために警告をトリガーしてもよい。また、該システムは検出された汚染物質のより効果的な濾過のために濾過強さを向上させる又はフィルタカートリッジを交換するようにユーザに警告してもよい。
【００８７】
その代りに、ＣＡＳはセンサ読取り値に基づいて濾過を自動的に調節してもよい。清浄空気システムは、フィードバック・ループにおいてコントローラと結合された１つ以上の空気質センサを実装してもよい。コントローラは１つ以上の空気質センサからの信号に応答して１つ以上のフィルタの動作を設定するように構成されることができる。例えば、空気質センサが多量の花粉を感知するならば、コントローラは花粉を除去するのにどの方式のフィルタが効果的であるかを判定することができる。ＨＥＰＡフィルタが花粉を除去するのに効果的であるので、コントローラはＣＡＳにＨＥＰＡフィルタを介して空気の濾過を開始させることができる。その代りに、コントローラは花粉カウントが高いこと及びＨＥＰＡフィルタが使用されるべきであることをユーザに通知することもできる。ＣＡＳはまた、ユーザが汚染された区域にかなり長時間いたこと及びよりクリーンで、汚染されていない区域を探すべきことをユーザに警告することもできる。
【００８８】
コントローラはまた、オンライン・データベース及び情報にアクセスするためにＧＰＳセンサ及び無線通信装置（例えばＷｉ−Ｆｉアンテナ及びモジュール）などの位置センサとともに構成されてもよい。例えば、コントローラは、ＧＰＳを使用してユーザの位置を検出してもよい。位置データに基づいてコントローラ無線通信装置を利用して区域における既知の汚染物質のデータベースにアクセスしもよい。コントローラが区域における位置及び汚染物質を判定した後、コントローラは供給された空気から当該汚染物質を除去するためにＣＡＳの１つ以上のフィルタの動作を設定することができる。あるいはまた、コントローラは１つ以上のフィルタの動作を設定しないで、その代わりにユーザに１つ以上のフィルタの動作を設定するように知らせてもよい。
【００８９】
コントローラはまた、無線通信装置を使用してデイリー及び地域気象及び空気質予測にアクセスしてもよい。受信された気象及び／又は空気質データに基づいて、コントローラはユーザがいかなる有害粒子をも吸い込まないようにするために１つ以上のフィルタの動作を設定してもよい。また、コントローラは濾過のための強さレベルを設定してもよい。あるいはまた、コントローラは１つ以上のフィルタの強さ又は動作設定しないで、その代りに１つ以上のフィルタの動作又は強さを設定するようにユーザに知らせてもよい。受信された気象及び／又は空気質データはユーザが位置を変更するときに更新されてもよい。
【００９０】
ユーザの健康及び環境モニタリングはまた、清浄空気システムによって行われてもよい。例えば、コントローラはユーザの生理的なデータを検出するように構成された１つ以上のユーザセンサと結合されてもよい。このようなデータは心拍数データ、発汗データ、温度データ、ブレス流量データ、Ｏ２飽和データなどであってもよい。センサは心拍数センサ、湿度センサ、サーミスタ、流れセンサ、酸素濃度計、その他の任意の１つ以上であってもよい。センサからの生理的なデータが記録されてユーザへ戻されてもよい。ユーザへの通信はＣＡＳ上で行われてもよいし若しくはコンピュータ又はスマートフォン上のオンラインデータベースを介してアクセスされてもよい。加えて、生理的なデータはユーザのプロファイルを備えているオンラインデータベースへ通信されてもよい。それに応じてユーザはデータベースにアクセスしてもよいしまたプロファイル中の情報をレビューしてもよい。また、フィードバック信号は、ユーザが眠り込んたり若しくは目を覚ましたりする場合にそれぞれＣＡＳのスイッチを入れたり切ったりするために使用されることができる。幾つかの実施形態では、ＣＡＳは常にスイッチオンである。幾つかの実施形態では、生理的なデータはユーザの病気を判定するために分析されてもよい。例えば、ユーザが眠っている間に取り込まれたユーザデータは睡眠障害呼吸を判定するために分析されてもよい。
【００９１】
ＣＡＳはまた、視標追跡センサを含んでもよい。該視標追跡センサ及び対応するアルゴリズムはユーザが何に目の焦点を合わせているかを監視するために採用されてもよい。視標追跡センサの目的は、ノズルの調節のためにユーザの頭方向を判定するために顔ランドマークがどれであるかユーザの目の位置を突き止めることにある。例えば、ユーザがなにかを見るために頭を回したならば、ユーザの気道の吸込口との空気方向アラインメントを維持するようにためにノズルが調節する。
【００９２】
類似システムのネットワークからのリアルタイプ汚染及び位置データは、収集されかつデータベースへ送信されることができる。該収集された情報は、リアルタイム汚染度マップを作成するために利用されることができる。該リアルタイム汚染度は、特定の位置に関して汚染レベルがどうなっているかを示すことができる。また、該マップは他のユーザに対してかれらの周りの危険な場所を警告するために使用されてもよい。マップはまた研究者がある特定区域における汚染傾向を理解するのに役に立つ。
【００９３】
スマート汚染ナビゲーションプログラムはまた、ＣＡＳ上に実装されてよい。例えば、センサから受信された位置及び汚染データに基づいて、ＣＡＳは交通マップと同様な、ナビゲーションデータを提供することができ、かつ汚染レベルが高い特定の区域を回避するためにユーザ及び／又は旅行者に方向を指示することができる。一実施例では、ＣＡＳはユーザから目的地を受信してもよい。ＣＡＳは次いでユーザに汚染レベルの高い区域を通って走行させるであろうルートをを回避して、ユーザを画面又は音声ナビゲーションでもって目的地に誘導することができる。幾つかの実施形態では、ＣＡＳはユーザのスマートフォンと連結されてもよい、またフォンのＧＰＳ及びナビゲーションソフトウェアはユーザに方向を指示するためにＣＡＳと連動して使用されてもよい。一実施形態では、スマート汚染ナビゲーションプログラムはユーザの位置を監視することができ、及びユーザに汚染の高い区域に近づきつつある若しくはその中にいる旨の通知を与えることができる。別の実施形態では、位置センサはユーザが旅行するときなど、慣れない場所にいることを特定する場合、センサはその場所に関する空気汚染安全ヒントを引き出すことができかつ汚染含有量及び濃度を自動的に感知することができかつ濾過を適切に調節することができる。
【００９４】
リアルタイム汚染モニタリングはまた、オンライン・ユーザ・プロファイル以内で指標に変換されてよい。該指標はどれだけの量の汚染の中にユーザがいたのか及びどれだけの量の汚染をユーザが回避してきたかをユーザに知らせることができる。また、該指標はユーザがさらされた異なる種類の汚染物質についての知識をユーザに提供することができうる。また、該指標はある期間にわたって吸い込まれた酸素百分率をユーザに知らせもよい。時間単位に分解されて吸い込まれたディリー酸素百分率は、ユーザと交信されてもよい。このような情報によってユーザはＣＡＳが提供する保護の効果を認識することができる。
【００９５】
ＣＡＳはユーザ・フロー・インターフェースの向きを検出する及び／又は風方向及び風速を検出するように構成された１つ以上のセンサをさらに含んでもよい。例えば、１つ以上のセンサは風を検出する風力計及びユーザ・フロー・インターフェースの向きを検出する加速度計を含んでよい。風力計及び加速度計からの情報に基づいて、コンピュータプロセッサは最適な空気ノズル角度及び／又は位置を計算することができてもよい。また、コンピュータプロセッサは、ユーザに送達される清浄化空気のベストな比率を得るためにベストな空気流れ強さを決定してもよい。該コンピュータプロセッサは記録されたデータの記憶用非過渡メモリに連結されてもよい。
【００９６】
プロセッサによって計算された結果に基づいて、装置のコントローラはＣＡＳの動作を調節することができる。例えば、検出された風及び／又はユーザ・フロー・インターフェースの向きに基づいて、プロセッサは流れ発生器の動作の変更が必要であることを判定することができる。それに応じてコントローラは流れ発生器に流速を変化させてもよい。プロセッサはまた、風及び／又はユーザ・フロー・インターフェースの向きに基づいてユーザ・フロー・インターフェース内の空気ノズルが位置を変化させる必要があり及び／又は角度を変化させる必要があることを判定してもよい。それに応じて、コントローラはユーザに対する清浄化空気のベストな比率を得るようにノズルに調節させることができる。
【００９７】
場合によっては、ＣＡＳがそうあるべき機能を発揮しつつあるかをユーザが判断することが難しいこともある。それに応じて、ＣＡＳはＣＡＳがそうあるべき機能を発揮しつつあるか否かについてフィードバックをユーザに与えるように構成されることができる。図１４に示されるように、ＣＡＳは空気の流れと合致しているアロマディスペンサーを含んでよい。アロマディスペンサーが起動されれば、ディスペンサーはアロマと認識可能な香り１３０１を、清浄化空気１３０２の流れの中に放出することができる。該香りはＣＡＳが機能しつつありかつる清浄化空気を提供しつつあることをユーザ１３０３に指示しうる。加えて、該香りの付いた空気に続いてユーザは清浄化空気を吸い込んでいることを確信することができる。
【００９８】
本明細書に記載される能動型清浄空気システムに加えて、若しくはそれに代えて、受動型フィルタがシステムに導入されてもよい。例えば、図３８に示されるように、受動型フィルタはユーザ３８０６の口及び／又は鼻の上に設置されてもよい。そうすることによって、受動型フィルタがユーザに対して提供される清浄空気の量を補足又は交替してもよいのでＣＡＳのブロワ３８０４が清浄空気の全体量をユーザ３８０６に提供することから解放されてもよい。幾つかの実施形態では、清浄空気濾過に対する需要が低い場合には、エネルギーを節約するためにブロワ３８０４は電源を切ってもよい、またユーザ３８０６は清浄空気に関して受動型フィルタ３８０２に依拠することができる。また、ブロワ３８０４でもってユーザに過剰な量の空気を印加せずに受動型フィルタがユーザに対して十分な空気の流れを提供することができるので受動型フィルタ３８０２はユーザ３８０６に対してより快適な体験を提供することができる。
【００９９】
清浄空気システムは、一体化及び連結されたシステムとして実装されることができる。この点に関しては、ＣＡＳはフィットネスバンド又はスマートウオッチ方式のデバイスの接続性を模倣してもよい。このようなものとして、ユーザに清浄空気を提供することに加えて、ＣＡＳはスマートフォンの延長のように機能するようにプログラミング化されてもよい。例えば、ＣＡＳのプロセッサは通信用インターフェースを介してユーザのスマートフォンと交信するようにプログラミング化されてもよい。該通信用インターフェースは、有線及び無線接続を介してスマートフォンから受信しかつスマートフォンへ発信するように構成されてもよい。Ｂｌｕｅｔｏｏｔｈ、Ｗｉ−Ｆｉ、ＲＦ、セルラーデータネットワーク、電波、その他が、ＣＡＳとスマートフォンとの間で使用されことができる無線通信装置の実施例形態である。
【０１００】
いったんＣＡＳとスマートフォンとの間に接続が確立すると、ユーザはＳＭＳ及びＭＭＳメッセージの送受信とともに、携帯電話コールの送受信を行ってもよい。例えば、ユーザがあたかも電話を使用しているかのように交信してもよい場合には、ＣＡＳはマイクロフォン（複数）、スピーカ（複数）、及び／又はヘッドフォン（複数）を含んでよい。ＣＡＳはまた、音声指令を認識するようにプログラミング化されてよいかつカメラがＣＡＳ内に搭載される必要がある場合にはカメラ能力を有してもよい。一体化及び連結されシステムとして、ＣＡＳデバイスはユーザによってほとんどの時間携帯及び／又は装着されることになる、したがってデバイスの使用される可能性が高まり、結果的にユーザの健康が改善される。
【０１０１】
ユーザが話をしているときに空気がユーザの鼻及び口に導かれることはユーザの会話をゆがめ、ユーザの口を乾かし、あるいは話をすることを不快にさせることがある。このようなゆがみ及び不快感を回避するためには、ＣＡＳはスピークモードを含んでよい。スピークモードは会話認識ソフトウェアの使用とともに実装されてもよい。該会話認識ソフトウェアは、デバイスにユーザが話をしているときを感知させることを可能にしてもよい及び、応答中にユーザが話しを続けている間、口及び鼻へ空気の供給を少なくするか若しく中止することを可能にしてもよい。幾つかの実施形態では、会話ソフトウェアは、システムはユーザが話をしていることを検知するときに、排気弁を、もしＣＡＳに存在していれば、自動的に全開にしてもよい。
【０１０２】
清浄空気システムはまた、他の一体化されたインテリジェント健康システム及びフィーチャを含んでもよい。例えば、ＣＡＳは使用状況を監視するため及びＣＡＳの使用状況に基づいユーザにフィードバックを提供するために付加的な追跡能力を含んでよい。モニタリングは、汚染センサ、温度センサ、生理的センサなどのセンサの使用を通して実装されてもよい。センサは１つ以上の場所において、表３に見られるような汚染など、汚染の存在及び濃度を監視してもよい。ＣＡＳはまた、ＣＡＳがどこでいつ動作していたかを追跡してもよい。監視及び追跡されたデータは、ＣＡＳシステム内のメモリに格納されてもよい、若しくはクラウドベース、又はローカル、記憶システムにアップロードされてもよい。
【０１０３】
ＣＡＳはユーザにフィードバックを提供するために、監視された情報を使用してもよい。例えば、収集されたデータに基づいて、ＣＡＳはデバイスが最も有益であったのはいつどこであったか、ＣＡＳが使用された回数、ユーザの呼吸経路から除去された汚染の量（グラムなどの単位）、フィルタ効率（すなわち、ユーザの吐く息からどのくらいの数の粒子及びガスが除去されつつあるか）、その他を判定してもよい。監視及び追跡されたデータは、ＣＡＳのディスプレイ上の、若しくは個人用コンピュータ又はスマートフォンなどの別のデバイスのディスプレイ上の追跡された測定を含有するグラフ及びチャートの形態でユーザに提示されてもよい。該監視及び追跡されたデータはまた、オンラインユーザ・プロファイル以内で指標に変換されてもよい。該指標は、デバイス上で、若しくはオンライン・プロファイルへの接続を有するスマートフォン又は個人用コンピュータなど別の計算デバイスを介して、ユーザによってアクセス可能であってもよい。
【０１０４】
ＣＡＳはまた、運動モードを含んでもよい。該運動モードはユーザによって手動で若しくはＣＡＳによって自動で起動されてもよい。運動モードを自動で起動するためにはＣＡＳは、湿度データ、空気温度データ、流れデータ、及びＣＯ２濃度データなどのセンサの集まりから取得されたデータを使用してもよい。いったん受信されたデータが呼気時の相対湿度の増加、増加した毎分換気量、増加した吐出した空気温度など運動の兆候を示唆すると、デバイス運動モードへ自動的に切り替わってもよい。いったん運動モードに入るとＣＡＳは、それの構成に応じて、能動型排気弁を起動してもよい。該排気弁はユーザの吐き出した空気を引き離してもよい。運動はまたＣＯ２量の増加を招くにつれて、ユーザの口及び／又は鼻を部分的に覆うインターフェース内での蓄積が起こりうる。したがって、あるいはまた、若しくは能動型排気弁に加えて、能動型炭素フィルタはＣＯ２濃度を減少させるために運動モードに導入されることができる。また、運動モードにある間、ＣＡＳのブロワは電源を入れてもよい若しくはその出力を増大させてもよい。
【０１０５】
幾つかの実施形態では、冷却システムはまた、吸い込まれた空気を冷やすためにＣＡＳに追設されてよい。冷却システムは、環境からより冷たい空気を引き込むブロワ及びフィルタとともに付加的な弁となりうる可能性がある。あるいはまた、若しくは環境からより冷たい空気を引き込むことに加えて、ＣＡＳは空気がチップを通過するにつれて空気を冷やすぺルチエ（Ｐｅｌｔｉｅｒ）チップを含んでよい。冷却システムはＣＡＳが運動モードに切り替わるとき自動的に始動されてもよい、若しくはユーザによって手動で起動されるてもよい。
【０１０６】
フィットネス目標に到達するに当たってユーザを支援し、かつデバイスの使用を促進するために、ＣＡＳは呼吸及び／又は使用目標を提供してもよい。この点に関しては、ＣＡＳはデバイスのユーザが努力するために毎日、毎月、毎年などの目標を提供してもよい。例えば、ＣＡＳはだいたい２時間デバイスを使用するために毎日の目標を提供してもよい。別の実施例では、デバイスはユーザにだいたい１５分間目標呼吸数において呼吸することを指図してもよい。呼吸及び使用目標は、ユーザの呼吸健康進展（ｒｅｓｐｉｒａｔｏｒｙ  ｈｅａｌｔｈ  ｐｒｏｇｒｅｓｓ）（例えば、休息時呼吸数の改善。）を監視するために使用されてもよいフィーチャを提供する。フィットネス目標とともに、これらの目標に向けての進捗が、オンラインユーザ・プロファイル内の指標の中にを含まれてもよい。該指標は、デバイス上で若しくはオンライン・プロファイルへの接続を有するスマートフォン又は個人用コンピュータなどの別の計算デバイスを介して、ユーザによってアクセス可能であってもよい。フィットネス目標は、ＣＡＳ上で直接に若しくはユーザのオンライン・プロファイルにアクセスすることを通して更新されてもよい。
【０１０７】
ＣＡＳは統合吸息筋トレーニングバルブ（ＩＩＭＴＶ）を含むことによって適正な又は改善された呼吸を促進することができる。この点に関しては、ＣＡＳは呼吸トレーニングが要求されるときにＩＩＭＴＶを起動してもよい。該ＩＩＭＴＶはバルブを開きかつユーザによる空気の吸入を許容する前に吸気圧のある特定の量に到達するようにユーザに要求してもよい。該実施形態では、ＣＡＳは密封インターフェースであってもよい。その代りに、ＣＡＳはオープンインターフェースであってもよい及び窒素又は二酸化炭素などの他のガス分子の割合を増加させることによって、若しくは空気圧を低下させることによって酸素レベルは１５％前後まで減少されてもよい、したがって吸い込まれた単位容積当たりの空気分子はより少なくなる。
【０１０８】
ＣＡＳは、システムにおいて意図されないリークを検出するように構成された１つ以上のセンサをさらに含んでもよい。例えば、ユーザに空気を送出するためにフェースマスクなどのヘッドギアが使用される場合に、デバイスが完全な効果を維持するためにシールがユーザとマスクとの間に維持されるべきである。流れセンサなどのセンサが、マスクとユーザとの間にリークを検知する場合、デバイスはマスクが締められるか若しくは交換されるべきであることをユーザに知らせてもよい。その代りに、ＣＡＳはいかなるリークをも封止しようとする試みにおいてリークが検出される場合、ヘッドギアに搭載されたアクチュエータを介してヘッドギアの締め付けを自動的にトリガーしてもよい。
【０１０９】
マスク又は他のこのようなフローインターフェースをはじめて着用するとき、システム内に障害が存在しているために十分な清浄空気をマスクの中に取り入れることが難しいことがありうる。そういうものだから、スマート清浄空気上昇アルゴリズムはコントローラによって使用されてもよい。この点に関しては、コントローラは流れインターフェースへの最大清浄空気流量を提供し、かつ次いでいったんユーザが清浄空気のレベルでもって快適に感じれば清浄空気流量をゆっくりと下降させるようにプログラミング化されてもよい。該構成の利点は、ブロワが長期間全速で作動しないときにエネルギーが節約されうることにある。
【０１１０】
ユーザにとって快適さをさらに向上させるため、能動型呼気弁（ＥＡＶ）を使用してマスク又は他のフローインターフェースにおけるＣＯ２蓄積量を低減してもよい。この点に関しては、ＥＡＶはユーザの呼息を検出すると同時に開けるようにトリガーされてもよい。そういうものとして、呼息空気が清浄空気システムから流出することになり、それによってＣＡＳからＣＯ２を直ちに除去し、かつユーザが感じる息詰まりを減じさせる。幾つかの実施形態では、ＣＡＳはユーザのマスクにおけるＣＯ２レベルが所定の閾値を超える場合に開けるようにＥＡＶをトリガーすることができる。
【０１１１】
統合及び連結されたＣＡＳシステムはまた、他の統合及び連結されたＣＡＳシステムと同期してもよい。マルチプルＣＡＳシステムをまとめて同期させることによって、ユーザはデバイスの同期されたグループ内に他のユーザのデバイスの使用を監視してもよい。この点に関しては、各デバイスは、家族メンバーのグループ、友人のグループ、同僚グループなどのグループに割り当てられてもよい。グループに同期された各ＣＡＳは、グループ内の他の同期されたデバイスの使用履歴を監視してもよい。監視されてもよい使用履歴データとしては、デバイスが使用された時間数、呼吸及び／又は使用目標、フィットネス目標、目標達成に至る進捗、運動履歴、及びＣＡＳ上のセンサから収集された他のこの種情報が挙げられうる。
【０１１２】
幾つかの実施形態では、各デバイスのユーザは管理者レベル、高レベル、及びべ−スレベルなどのアクセスレベルに割り当てられてもよい。管理者は同期されたＣＡＳシステム間でフィーチャのすべてを制御することができうる。そういうものとして、管理者はどのデバイスが同期グループに追加されるか若しくはそこから除去されてもよいか及びグループ内のユーザのアクセスレベルを制御可能でありうる。管理者はまた、どんな情報をユーザが共有及び／又は監視することができるかを制御してもよい。例えば、管理者は共有情報を監視するために高レベルに割り当てられたユーザに完全アクセスを提供してもよいが、一方ベースユーザが閲覧及び／又は共有してもよいデータを制限してもい。一実施例では、グループは２人の両親及び３人の子供を含む５人の家族メンバーを含んでよい。両方の親は管理者レベルアクセスを与えられてもよい、年上の子供は高アクセスレベルを与えられてもよい、また２人の年下の子供はベースアクセス・レベルを与えられてもよい。そういうものとして、両親は子供の使用のすべてを監視及び制御してもよい。高アクセスレベルを有する、年上の兄は、彼がどんな情報を共有したいかを選択することができ、また彼の２人の年下の弟・妹のデバイスを監視してもよい。べ−スアクセスレベルを有する２人の年下の弟・妹は自分自身の個人用情報を閲覧できるだけであり、また家族グループ内の他のユーザを閲覧することから遮断されることがある。
【０１１３】
ＣＡＳがヘッドフォン又はハンド・フリートーク・デバイスを含む幾つかの実施形態では、マイクロフォン及びヘッドフォン・セットはウオーキートーキー・デバイスとして機能することができかつ極めて接近している他の清浄空気システムと接続することができる。会話は範囲内ですべてのＣＡＳデバイス間で若しくは家族メンバーの同期グループなどのある特定の同期グループに割り当てられたデバイスだけに可能にされてもよい。
【０１１４】
幾つかの実施形態では、ＣＡＳは幼児監視機能を発揮してもよい。例えば、ＣＡＳはベッドに取り付けられてもよい若しくは幼児に極めて接近して設置されてもよい。幼児を監視するＣＡＳ上のセンサによって集められた情報は、世話人へ転送されてもよい若しくはクラウド記憶場所などの記憶場所にアップロードされてもよい。世話人のＣＡＳデバイスは転送情報を表示してもよい、若しくは転送情報が別の計算デバイスを用いてクラウド記憶装置からアクセスされてもよい。
【０１１５】
清浄空間サーバーは、情報を集計しかつ情報をＣＡＳデバイスへ提供してもよい。例えば、図３９に示されるように、清浄空間サーバー（ＣＳＳ）３９０２は様々な情報源から情報を受信してもよい。受信された情報に基づいて、ＣＳＳはカスタマイズされた更新及び報告をＣＡＳデバイスへ送信するとともに、ＣＡＳデバイスの動作パラメータを自動的に調節してもよい。
【０１１６】
ＣＳＳは１つ以上のサーバーから構成されてもよい。該サーバーは、ローカルエリア・ネットワーク（ＬＡＮ）又はインターネットなどの１つ以上のネットワークと連結されてもよい。該ＣＳＳは１つ以上のネットワークを介して連結された様々な情報源から情報を集計及び格納してもよい。多様な情報源から受信される情報としては、日付、時間、及び最新ニュース３９０４、気象サービス３９０６からの最新気象、（ＣＡＳデバイスへ統合されされてもよい）ＧＰＳ１９０８デバイスからの位置情報、ＣＡＳデバイス若しくは他のセンサからのセンサ測定値３９１０、ピアＣＡＳデバイス３９１２及び３９１４（すなわち、グループへ同期されたメンバーのＣＡＳデバイス）からのＣＡＳ情報が挙げられうる。
【０１１７】
多様な情報源からＣＳＳ３９０２は、ブロック３９１６に示されるように気象状態に整合するように特定のＣＡＳデバイス上のパラメータを自動的に調節し、ブロック３９１８に示されるように最新気象を提供し若しくは汚染予測及び予報を計算し、及びブロック３９２０に示されるように健康進展及びフィードバックを提供してもよい。
【０１１８】
一実施形態では、ＣＳＳ３９０２は日付、時間、及び最新ニュース３９０４、気象サービス３９０６、ＧＰＳ３９０８から受信された情報、及びセンサ測定値を使用してＣＡＳデバイスの動作を調節してもよい。この点に関しては、ＣＡＳデバイスからの受信されたＧＰＳ信号３９０８及びセンサ測定値３９１０に基づいて、ＣＳＳは、日付、時間及び最新ニュース３９０４情報源から受信された特定の時間及び日付に関して気象サービス３９０６から受信された気象データを解析してもよい。ＣＳＳ３９０２は次いで受信された情報に基づいてユーザに対して保護を提供するためにＣＡＳ上のどのパラメータが調節されるべきであるかを判定してもよい。一実施例では、ＣＳＳ３９０２はＣＡＳのＧＰＳを使用してユーザの位置を検出してもよい。位置データに基づいて、ＣＳＳは気象サービス３９０６又は最新ニュース３９０４を通じてある特定の時間において区域内の既知の汚染物質のデータベースにアクセスしてもよい。ＣＳＳが位置、時間、及び区域内の汚染物質を判定した後、ＣＳＳは供給された空気から当該汚染物質を除去するためにＣＡＳの１つ以上のフィルタの動作を設定してもよい。その代りに、ＣＳＳは１つ以上のフィルタの動作を設定しなくてもよいが、その代わりに１つ以上のフィルタの動作を設定するようにユーザに知らせてもよい。
【０１１９】
ＣＳＳはまた、気象サービス３９０６を使用してデイリー及び地域気象並びに空気質予測にアクセスしてもよい。受信された気象及び／又は空気質データに基づいて、ＣＳＳはユーザがいかなる有害粒子を吸い込むことから保護するために１つ以上のフィルタの動作を設定してもよい。また、ＣＳＳは濾過に関する強さレベルを設定してもよい。あるいはまた、ＣＳＳは１つ以上のフィルタの強さ又は動作設定しないでもよいが、その代わりに１つ以上のフィルタの動作又は強さを設定するようにユーザに知らせてもよい。受信された気象及び／又は空気質データは、ユーザが場所を変更するときに更新されてもよい。
【０１２０】
４．４  感覚エンタテインメント技術
エアカーテンシステム又は他のユーザ・フロー・インターフェースは、ユーザに感覚フィードバックをさらに提供するためにエンタテインメントシステムに実装されることができる。このようなエンタテインメントシステムは、空気清浄を伴うか否かにかかわらず、空気流れシステムに記載されるような機能性の一部又は全部を含んでよい。しかしながら、エンタテインメントシステムはまた、提供された／発生された空気の流れなどを介して、臭覚、触覚及び／又は味覚を刺激するために制御器を含んでもよい。
【０１２１】
図１に示されるように、エンタテインメントシステムは流れ発生器１６０３、スマート清浄空気フィルタリング１０３、及びユーザ・フロー・インターフェース１０４を含んでよい。該流れ発生器は前述した通り任意のモータであってもよくかつフィルタ及びセンサを含むことができる。清浄機能性が含まれるならば、エンタテインメントシステムは１つ以上のフィルタを備えた図１４に示されるような清浄空気システムのように構成されてもよい。汚れた空気１４０１は、はじめにプレフィルタ１４０２を通過されることによって流れ発生器の中に引き込まれてもよい。該プレフィルタ１４０２は、モータ１４０３を損傷させる恐れがある空気からの粒子を除去することができる。該モータ１４０３は、図１４に示されるように、次いで一次フィルタ１４０４を通じて空気を押しんでもよい。該一次フィルタ１４０４は空気から望まれていない微粒子を除去してもよい。該濾過された空気は、次いで清浄化空気１４０５としてユーザ・フロー・インターフェース１０４を通じてユーザへ出力されてもよい。しかしながら、エンタテインメントシステムは典型的には、図１５に示されるように、付加的な感覚粒子ディスペンサー１５０２を含む。幾つかの実施形態では、１つ以上のフィルタは、エンタテインメント・シナリオ（例えば、大洋の波が塩気のある、大洋の匂いを香りカートリッジから空気の中へ放出させる）と同期してトリガーされてもよい香りカートリッジと交換されてもよい。エンタテインメントシステムは、流れ発生器１６０３の動作を制御するためにコントローラをさらに備えてもよい。コントローラは流れ発生器の流量とともに流れ発生器によって発生された空気圧力を調節してもよい。
【０１２２】
エンタテインメントシステムは、通信用インターフェースを介してテレビ、ＤＶＤプレイヤー、ゲーム／エンタテインメントコンソールなどの様々なマルチメディアシステムに接続できてもよい／と通信できてもよい。該通信用インターフェースは有線及び無線接続を介してマルチメディアシステムからエンタテインメント信号を受信するように構成されている。Ｂｌｕｅｔｏｏｔｈ、Ｗｉ−Ｆｉ、ＲＦ、セルラーデータネットワーク、電波、その他は、エンタテインメントシステムとマルチメディアシステムとの間で使用されることができる無線通信装置の実施例形態である。
【０１２３】
該マルチメディアシステムは、流れエンタテインメントシステムに信号を提供するようにプログラミング化されてもよい。ユーザが使用している、映画、テレビショー、若しくはゲームなどのマルチメディアシステムによって提供されるエンタテインメント媒体は、媒体の異なるステージにおいてプログラミング化される４Ｄ刺激トリガーを有してもよい。これらの信号は、エンタテインメントシステムによって刺激をいつトリガーするかの指示であってもよい。このような信号はまた、刺激の量及びどんな種類の刺激が提供されるべきかを指示してもよい。該信号はコントローラによって受信され、かつコントローラはエンタテインメントシステムに、流れ発生器の制御による及び／又は付加的な感覚フィードバック（例えば、臭覚、味覚、触覚）などの信号の中に指示される刺激を提供させてもよい。
【０１２４】
例えば、ユーザが料理ショーを見ている間、媒体からの信号がマルチメディアシステムへ送信されてもよい。該マルチメディアシステムは、次いで付加的な感覚粒子ディスペンサー１５０２からイチゴの香りを放出するようにエンタテインメントシステムへ指示してもよい、これはテレビ上に映っているイチゴに対応する。幾つかの実施形態では、感覚粒子を空気中に放出することは、結果的にユーザが感覚粒子を味わうことになる。例えば、エンタテインメントシステムはイチゴに関連した感覚粒子を放出してもよい。ユーザが空気を吸い込んだときに、ユーザにイチゴの香りを嗅ぐわせ、またイチゴの風味をも味わせるものである。別の実施例では、ユーザがビデオゲームで遊んでいるときに、ビデオゲームはマルチメディアシステムがエンタテインメントシステムへ刺激トリガーを送るべきであることを指示してもよい。該刺激トリガーはエンタテインメントシステムに付加的な感覚粒子ディスペンサー１５０２から画面上でちょうど爆発したと思われる爆弾に対応する煙の臭いを放出させてもよい。
【０１２５】
該フローエンタテインメントシステムはまた、刺激をトリガーするためにバイオフィードバックを使用することができる。ＣＡＳに関して前述したように、このようなデータは心拍数データ、発汗データ、温度データ、ブレス流量データ、Ｏ２飽和データなどであってもよい。使用されているセンサは、心拍数センサ、湿度センサ、サーミスタ、流れセンサ、酸素濃度計などのうちの任意の１つ以上であっててもよい。４Ｄエンタテインメントシステムはまた、視標追跡センサを含んでもよい。該視標追跡センサはユーザ・フロー・インターフェース上に存在してもよいし若しくは別個のデバイスであってもよい。視標追跡センサ及びプロセス上で実行している対応アルゴリズムは、ユーザが何を見つめているか及び何に焦点を合わせているかを監視するために採用されてもよい。
【０１２６】
センサから受信された情報を用いて、フローエンタテインメントシステムはユーザに及ぼす刺激又はリラックス効果をトリガーすることができうる。例えば、テレビショーを見ているユーザが居眠りを始めることもある。視標追跡センサはユーザが眠り込んでいることを信号でフローエンタテインメントシステムに送信してもよい。受信された信号に応答して、フローエンタテインメントシステムはまた、ユーザの気持を落ち着かせてかつより容易に眠り込めるように支援するためにラベンダーの香りを放出するなどの、スリープイネイブラーを提供してもよい。該実施例に継続して、視標追跡センサはユーザが眠り込んだことを感知してもよい。それに応じて、視標追跡センサは、フローエンタテインメントシステムがスイッチを切られるべきか若しくはユーザがもはやそれを使っていないので待機電源モードに置かれるべきことを指示する信号をフローエンタテインメントシステムへ送ってもよい。ユーザが目を覚ましたときに、視標追跡センサはスイッチオンに戻すようにフローエンタテインメントシステムへ信号を送ってもよい。
【０１２７】
フローエンタテインメントシステムのコントローラはまた、マルチメディアシステムへ生理的データを通信してもよい。それに応じてユーザはマルチメディアシステムを通して生理的データにアクセスできてもよい。また、マルチメディアシステムは流れ刺激トリガーを送るか否かを判断するために生理的データを利用することができうる。例えば、ホラー映画を見ている間にユーザの心拍数が上昇しつつあるならば、マルチメディアシステムは、発汗させるために提供された空気の熱を上げるべきことを指示する刺激トリガーをフローエンタテインメントシステムへ送ってもよい。
【０１２８】
付加的な感覚粒子ディスペンサー１５０２は、アロマディスペンサーを含んでよい。該アロマディスペンサーは、刺激トリガーがフローエンタテインメントシステムによって受信されることに応答してアロマディスペンサーから清浄化空気内へのアロマの放出を選択的に起動するように構成されてもよい。該アロマディスペンサーは香料を保持する多くの小さい交換可能なリザーバ又はカートリッジを収納してもよい。該香料は臭い粒子及び／又は味粒子を備えてよい。これらのリザーバ又はカートリッジは、新品アロマが必要とされるとき若しくはリザーバ又はカートリッジが使い尽くされるときに容易に取り外しされ及び交換されてもよい。
【０１２９】
該アロマディスペンサーは、典型的には低用量で香料を放出するためにポンプ又はサーモトリガーなどの電気的又は機械的機構を含んでもよい。アロマディスペンサーは受信された刺激トリガーに基づいて特定の香料を放出してもよい。例えば、映画の中のシーンは人物が雨の中でホットドッグカートを歩いて通り過ぎるシーンを含んでよい。映画媒体はマルチメディアシステムによってデコードされかつエンタテインメント・トリガーとしてフローエンタテインメントシステムへ送信された指示を含有してもよい。該エンタテインメントトリガーは、アロマディスペンサーを備えたポンプ又はトリガーに雨の香りとともにホットドッグの香りを放出させてもよい。映画の中で何を見ているかをユーザが臭いをかぐことによって映画の中にドップリ浸かることができる。幾つかの実施形態では、フローエンタテインメントシステムは、ユーザが香料内の味粒子を味見することができるようにユーザの口及び／又は唇において香料を吹き込んでもよい。
【０１３０】
該付加的な感覚粒子ディスペンサー１５０２は、液滴発生器を含んでもよい。該液滴生成器は水などの液体の小滴を、刺激トリガがフローエンタテインメントシステムによって受信されることに応答して、清浄化空気１５０１のなかに注入するために使用されてもよい。該液滴はユーザに送達されている空気の湿度を高めるために使用されてもよい。例えば、映画の中のシーンは人物が雨の中を歩いているシーンを含んでよい。映画媒体はエンタテインメントトリガーをフローエンタテインメントシステムへ送るためにマルチメディアシステムへ指示を送ってもよい。該エンタテインメントトリガーは液滴生成器に水滴を、ユーザへ送信されている空気の湿度及び湿気を上昇させる空気信号へ放出させてもよい。ユーザは次いで映画の中で見ている雨のイミテーションを感じることさえもできる。液滴生成器は、１種以上の異なる液体を保持する多くの小さい交換可能なリザーバ又はカートリッジを収納してもよい。液体は臭い粒子及び／又は味粒子を含んでよい。これらのリザーバ又はカートリッジは新品液体が必要とされるか若しくはリザーバ又はカートリッジが空っぽ又は消耗しているとき容易に取り外し及び交換されてもよい。幾つかの実施形態では、付加的な感覚粒子ディスペンサー１５０２は、液滴を噴霧することができる、超音波トランスデューサを含んでよい。該噴霧された液滴は、次いで空気信号へ放出されてもよい。
【０１３１】
該付加的な感覚粒子ディスペンサー１５０２は、少なくとも１つの加熱又は冷却要素をオプションとして含んでもよい。該加熱又は冷却要素は、誘導空気流を、特定の温度設定に設定される加熱又は冷却要素に通過させることによって該誘導空気流の温度を変化させるために使用されてもよい。加熱又は冷却要素は、エンタテインメント刺激トリガーがフローエンタテインメントシステムによって受信されることに応答して使用されてもよい。例えば、不毛の砂漠についてのビデオは、摂氏４０度の空気温度がシュミレートされかつユーザに提供されるべきであることを指示する４Ｄ信号を運んでもよい。別の実施例では、南極大陸についてのビデオは、摂氏−２０度の空気温度がシュミレートされかつユーザに提供されるべきであることを指示する４Ｄ信号を運んでもよい。さらなる実施例では、エンタテインメントトリガーが液滴生成器に水滴を空気中へ放出させてよく、それによって空気の湿度及び水分を上昇させ、一方同時に空気の温度を減少又は増加させ、物寂しい雰囲気又は湿っぽい雰囲気を醸し出それぞれ醸し出す。空気は感覚を高めるために、胸、首、顔などのユーザの身体に向けて導かれてもよい。
【０１３２】
付加的な感覚粒子ディスペンサーが、香料又は液体のカートリッジ又はリザーバが空になっていることを感知するとき、指示がユーザへ送信されてもよい。該指示は４Ｄエンタテインメントシステム上、マルチメディアシステム上、及び／又はユーザのオンライン・プロファイル内に現れてもよい。
【０１３３】
エンタテインメント／刺激トリガーに応答して付加的な感覚粒子ディスペンサー１５０２を利用することに加えて、フローエンタテインメントシステムは流れ発生器の流量に対する変更を制御してもよい。また、フローエンタテインメントシステムは流れ方向及び流れの位置を調節してもよい。例えば、ユーザがビデオゲームをしていて且つオープンヘリコプターで飛行している場合、フローエンタテインメントシステムはビデオゲームシステムからエンタテインメント／刺激トリガーを受け取ってもよい。刺激トリガーを受け取ることに応答して、エンタテインメントシステムは流れ発生器によって発生された流量をより高い流れへ調節してもよい。加えて、ユーザ・フロー・インターフェース上の調節可能ノズルは、ヘリコプターの中又は近くにいることをシミュレートする、及びノズルの組み合わせからの流れを選択的に放射することによって風の方向をシミュレートするために、ユーザの顔により直接に機械的に（例えば、１つ以上の電気機械式アクチュエータでもって）狙いをつけてもよい。同様に、フローエンタテインメントシステムは、シミュレータでの走行速度に基づいてある特定の速度における空気の流れを提供するために、ドライビング又はフライト・シミュレータなどのシミュレータにおいて使用されてもよい。また、フローエンタテインメントシステムは、ドライビング・シミュレータにおいてタイヤが車に対してスピンするとき燃えるゴムの臭いなど、シミュレータ内でのアクションに基づいてある特定の香りを放出してもよい。他の実施形態では、フローエンタテインメントシステムを使用して、映画又はビデオゲームなどの、マルチメディア媒体において急速に動いているスクリーンショットをまねしてもよい。例えば、カードライビングのスクリーンショットが表示されるにつれて、エンタテインメントシステムが動きをまねするために空気の流れをユーザに出力してもよい。このような流れ出力はサラウンドサウンドなどの他のマルチメディア信号と結合されてもよい。
【０１３４】
４．５  ユーザ・フロー・インターフェース（ＵＩ）
各種の個人用立体呼吸インターフェース（例えば、ユーザ・フロー・インターフェース）は空気をユーザに導くためにシステムに実装されてもよい。ユーザ・フロー・インターフェースは、清浄化空気及び／又は粒子、香り、湿度、温度、その他などの感覚特性を有する空気がユーザの鼻及び／又は口へ送達されることを可能にしてよい。清浄空気システム１０１又はフローエンタテインメントシステム１０２などの、エアカーテンシステムのユーザ・フロー・インターフェース１０４は、衣類の一品目（例えばスカーフ又はタートルネックセータ）によって隠れているか若しくは隠されされてもよい。あるいはまた、それは医療器具ではなくファッションアクセサリのように視覚的に見えるようにカモフラージュされてもよい。ユーザ・フロー・インターフェース１０４は、顔又は頭と不必要な接触をすべきでなく、また顔を封じるべきではない。それに応じて、ユーザ・フロー・インターフェース１０４はユーザの視線を制限するべきではない。また、ユーザ・フロー・インターフェース１０４は、第三者によって視覚的に及び／又は音響的に検知可能にすべきではない。ユーザ・フロー・インターフェースを異なる形態で提供することによって、インターフェースは感情的に控え目にすることができ、またしたがって社会での使用に当たってより気に入れられるものになりうる。
【０１３５】
可能なユーザ・フロー・インターフェース１０４は、図１６に示されている。眼鏡１６０１又はサングラスが、流れ発生器１６０３からの空気１６０５を振り分けるために使用されてもよい。眼鏡１６０１は空気送出導管１６０４を使用して流れ発生器１６０３に接続してもよい。該空気送出導管は流れ発生器１６０５からの空気をチューブ内へ振り分けることができる。該チューブは眼鏡のアーム１６０７の１つ以上の上側又は内側にある。該空気１６０５は次いでチューブを通って眼鏡のレンズの下側に位置している１つ以上の穴１６０２まで移動する。
【０１３６】
空気１６０５が穴１６０２から流れ出るにつれて、鼻孔の側部まで及びユーザの口の周りにエアカーテン１６０６を生成しうる。コアンダ（Ｃｏａｎｄａ）効果はユーザの皮膚に対して、またしたがって息を吸うときには鼻孔又は口内へ空気を導く際に支援することができる。そういうものとして、ユーザが息を吸うと、矢印１６０８によって示されるように、エアカーテン１６０６からの空気がユーザの鼻孔の中へ導かれてもよい。空気が目の下側へ送達されるとき、ユーザの目のひりひりする痛みはエアカーテン１６０６によって引き起こされない。眼鏡が図１６に示される一方、ユーザ・フロー・インターフェースは  ゴーグル、バイザーなどであってもよい。
【０１３７】
ヘッドセットをユーザ・フロー・インターフェース１０４として使用することによって、ユーザへの空気の送出が、空気１６０５を流れ発生器１６０３からユーザの頭上に着用されるヘッドセット１７０１の中へ振り分けることによって達成されうる。空気は流れ発生器１６０３から空気送出導管１６０４を通って、ヘッドセットの端部に位置しているディスペンサー１７０４まで搬送されうる。該ディスペンサー１７０４は空気を放出してもよいかつユーザの口及び／又は鼻の前方にエアカーテンを生成してもよい。該ヘッドセットは、ヘッドギアとともに頭にわたって着用されてもよい若しくはイヤカップ１７０６とともにちょうど耳の上に取り付けられてもよい。送達される空気の方向は、空気が目に導かれないようにｘ平面の下方であってもよい。また、ヘッドセットはユーザの視界を遮らないように鼻を横切って水平面内に設置されてもよい。該ヘッドセットは対話式ビデオゲーム、電話通話、若しくは依然空気を送達しながらヘッドセットを用いて通常行われる他の活動に使用されてもよい。幾つかの実施形態では、流れ発生器１６０３は音声構成要素の有無にかかわらずイヤカップ１７０６内に位置決めされてもよい。この点に関しては、ヘッドセット１７０１は作業用ヘッドセットとして見えるように構成されてもよいが、フローインターフェースとして作動するだけである。
【０１３８】
ユーザ・フロー・インターフェースの特定の一実施形態では、空気送出ノズルは対で互いの中に角度を付けてもよい。図１８は流れ発生器１６０３から空気１６０６を送達しつつある空気送出ノズル１８０４の対を示している。流れ発生器１６０５からの空気はユーザ・フロー・インターフェース１８０３へ移動してもよい及び空気送出ノズル１８０４から放出されてよい。該空気送出ノズル１８０４は、ユーザ・フロー・インターフェース１８０３から放出されるにつれて対になったストリームが衝突するように空気１６０５を導く。空気が衝突すると、ユーザの皮膚に対する空気の衝撃をやわらげる。これによってより楽しい呼吸体験が可能になりうる。図１８に示される空気ノズル設計は、ヘッドセット及び眼鏡をはじめとして本明細書に包含される多くの方式のユーザ・フロー・インターフェースで利用されてよい。
【０１３９】
排気管はユーザの鼻及び口の周りから空気を除去するために利用されてもよい。図１９に示されるように、排気管１９０２はユーザ・フロー・インターフェース１９０１によって生成されつつあるエアカーテン１６０６の直ぐ隣に設置されてもよい。空気１６０５は流れ発生器１６０３からヘッドセットの端部におけるディスペンサーまで空気送出導管１６０４を通って搬送されてもよい。エアカーテン１６０６からの空気は、排気管１９０２によってユーザの呼吸領域から離れて吸い出されてもよい。これによって、システムが香り、湿度、粒子、その他を、単純にユーザから消散させるよりも速く、取り除くことが可能になる。それに応じて、これは迅速な感覚変化が必要となりうるエンタテインメント環境において有用になりうる。図１９に示される排気管１９０２が、ヘッドピースであるとして示される一方で、排気管１９０２は眼鏡、帽子、カラー、その他を含む任意の形式のインターフェースであってもよい。幾つかの実施形態では、排気管は、細菌又は有害な空中浮遊バクテリアにさらされることから他の個人、又はユーザを保護するために使用されてもよい。一実施例では、病気のユーザが呼息するときに、排気管は呼気（吐く息）を、それを雰囲気内へ放出する前に濾過してもよい。そういうものとして、病気のユーザから呼吸、くしゃみ、せき、その他を通して吐き出される恐れがある任意の病原菌は、排気管によって捕捉されてもよい。同様に、ユーザが他の個人の近くにいるとき、システムは空気が空中浮遊細菌及び／又はバクテリアを除去するためにユーザに到達する前に濾過してもよい。
【０１４０】
顔から離れて及びユーザの首及び肩の周りに位置するグースネックチューブは、図２０に示されるように、使用されてもよい。該グースネック２００２は流れ発生器１６０３から空気１６０５を受け取ってもよい。一実施形態では、グースネックは自己調節可能及び位置調整可能であってもよい。あるいはまた、ユーザの頭の動きに応答してにノズル２００３を自動的に動かすためにメカトロニックシステムが搭載されてもよい。頭追跡又は顔追跡光学システムが、ユーザの鼻／口の位置を突き止めるためにシステム内に搭載されてもよい。追跡システムがユーザの鼻／口を追跡するにつれて機械式アクチュエータは、空気流れ２００４をユーザの鼻／口領域にねらいをつけるためにノズル２００３に対して調整をしてもよい。
【０１４１】
口及び鼻領域は、ユーザ・フロー・インターフェースの対象領域であってもよい。図２１はヘッドセット２１０１ユーザ・フロー・インターフェース１０３を利用しているユーザの対象領域２１０２を示す。空気がヘッドセットのアーム２１０３から放出されるにつれて、空気は対象ゾーンに導かれることができる。該対象ゾーンは眼の刺激を回避するために目から離れていてかつ口及び鼻の周りだけとしてよい。ユーザ・フロー・インターフェース１０３がヘッドセットである一方で、任意の形式のユーザ・フロー・インターフェースが使用されてもよい。
【０１４２】
衣類に取り付けられてもよい隠れたユーザ・フロー・インターフェースが、図２２に示されている。該隠れたユーザ・フロー・インターフェース２２０１は、直径が約１ｃｍ〜５ｃｍの範囲の薄肉チューブ構造から構成されかつ繊維、シリコーン、プラスティックなどの軟質材料から作製されてもよい。該隠れたユーザ・フロー・インターフェース２２０１は、エアカーテンをユーザまで送達するためのノズル２２０３を有してもよい。隠れたユーザ・フロー・インターフェース２２０１は、シャツ又はブラウスなどの内側に隠されかつ取り付けられるように設計されてもよい。隠れたユーザ・フロー・インターフェースは衣類の中にカモフラージュされるか若しくは衣類の中に埋め込まれてもよい。隠れたユーザ・フロー・インターフェース２２０１は接着剤、機械的チップでシャツのカラーの下の所定位置に保持されるか若しくはシャツの衣類の中に縫い込まれてもよい。隠れたユーザ・フロー・インターフェースへ送達される空気１６０５は、流れ発生器から空気送出導管１６０４を介してでよく、これはシャツの下側又は内側に隠される、ベルトの上に装着される、アームバンドで取り付けられるか若しくは幾つかの方法でユーザにしっかり固定されてもよい。エアカーテン１６０６は次いでユーザの鼻及び口に向けて上に送達されてよい。コアンダ効果は流れを皮膚に沿ってかつユーザの鼻及び口の中に運ぶのに役に立つ。この点に関しては、エアカーテン１６０６は、ユーザの鼻及び口に向けて上に流れるようにユーザの首及び顎を含む、ユーザの顔のカーブに追従してよい。
【０１４３】
隠れたユーザ・フロー・インターフェース２２０１からエアカーテン１６０６は、図２３に示されるように上に導かれてかつユーザの顔から離れてよい。該ストリームは不快感が生じないようにユーザの顔へは導かれない。また、上向きの気流は乾燥空気２３０１と吸い込まれつつある清浄化空気１６０５との間に液体バリア又は分離バリアを生成してもよい。清浄化空気１６０５がユーザに向けて送られるにつれて、エアカーテン１６０６が汚れた空気２３０１を捕らえてユーザから離れるように導く。ユーザは次いでエアカーテン１６０６の端部に向けて所望された清浄化空気だけを吸い込んでもよい。幾つかの実施形態では、清浄化空気は、エアカーテンシステムによって清浄化空気に追加又は導入されてもよい香り、粒子、その他を含有してもよい。このことは、香りが検出されれば清浄化空気が吸い込まれつつあることをユーザに指示してもよい。臭覚疲労を回避するために、ＣＡＳはユーザが同じ香りに対して感覚が鈍くなるのを回避するために香りを定期的に変化させてもよい。エアカーテン１６０６の方向は手動で調節されてもよいし、あるいはまた、特定の方向に恒久的に設定されてもよい。
【０１４４】
ユーザ・フロー・インターフェース１０４は、スカーフの形態であってもよい。図２４では、送出インターフェースを収納しているスカーフ２４０１が示されている。該スカーフはユーザの肩の周りに覆われ、かつカラーの下のユーザ・フロー・インターフェースと同様な様式でユーザに空気を送出する。スカーフ２４０１内に送出インターフェースを置くことによって、スカーフがファショナブルな品物のままであることが可能であり、第三者にとって医療器具のようには見えないであろう。図２４に示されるように、流れ発生器１６０３はユーザの腕に対してアームバンドによって取り付けられてもよい。空気送出導管１６０４は、空気１６０５をユーザ・フロー・インターフェースまで搬送してもよい。ユーザ・フロー・インターフェースはエアカーテンをユーザ１６０６まで送出してもよい。インターフェースはユーザの身体の輪郭に合わせて閉ループ準成型されてもよい。これによってユーザは次回それを着用したいと望むときより容易なセットアップが可能になる。ユーザ・フロー・インターフェースの材料はまた、低温ＴＰＥ（熱可塑性エラストマー）から製造されてもよい。ユーザがスカーフを着用するにつれて、ＴＰＥはユーザの体温の利用を通じてユーザの輪郭にそれ自身で成形（フィット）してもよい。
【０１４５】
図２５は、帽子２５０１の形態でユーザ・フロー・インターフェース１０４を示す。該帽子２５０１は空気送出導管１６０５によって流れ発生器１６０３に連結されてもよい。帽子の縁の上にはユーザの顔を下に横切ってエアカーテン１６０６も導く穴があってもよい。エアカーテンがユーザの顔を横切って下に流れるようにすることは上記のカラー実施形態と同じ原理に基づいているが、逆向きである。
【０１４６】
ユーザ・フロー・インターフェース１０４は、図２６に示されるように胸の上部を横切って又は腰の下のどこかに着用することができる１本又は複数本のストラップ２６０１の形態でもよい。該実施形態では、流れ発生器１６０３からの空気１６０５をシャツを通して押し込み、空気２６０６をユーザに提供するためにカラーの上部において逃げてもよい。空気は同時に体臭を低減するために防臭剤を運んでもよい。
【０１４７】
図４０Ａはハイドレーション（水筒式）バックパック４００１の形態によるユーザ・フロー・インターフェース１０４を示す。該ハイドレーション（水筒式）バックパック４００１は、水導管４００３を介してデュアルインターフェース４００４まで水をユーザに送達するためのに水筒４００２を収納してもよい。該ハイドレーション（水筒式）バックパックはまた、空気送出導管４００７を介してデュアルインターフェース４００４まで清浄空気を送達するための流れ発生器４００５を含んでもよい。該ハイドレーションバックパック４００１はまた、流れ発生器４００５によって送達された清浄空気を湿らすための加湿器４００９を含んでもよい。この点に関しては、該加湿器４００９は水筒４００２から水を吸引してかつ加湿器内の１つ以上の加熱要素が水を蒸発させてもよい。流れ発生器は清浄化空気に沸騰水を通過させて、それによって湿度を清浄化空気に加える。他の実施形態では、湿度はまた、別個の水芯（ｗａｔｅｒ  ｗｉｃｋ）カートリッジを介してシステムへ導入されることができる。
【０１４８】
図４０Ｂに示されるように、ハイドレーションバックパック４００１はユーザ４０８０が背負って運ばれてもよい。ハイドレーションバックパック４００１はストラップをユーザ４０８０の背中にしっかり固定するためにショルダーストラップ４０２１及びチェストストラップ４０２３を含んでよい。ハイドレーションバックパック４００１が、ユーザの背中に装着されると、ユーザの背後に位置している空気は流れ発生器４００５へ吸い込まれてもよい。デュアルインターフェース４００４はユーザの背中からユーザの顎の下まで覆ってもよい。デュアルインターフェース４００４の位置は調節可能であってもよい。例えば、水及び空気送出導管とともに、デュアルインターフェース４００４は半剛性であってもよいので、導管及びデュアルインターフェースが、空気を送出するときにはユーザの口及び鼻の前方に及びユーザがひとすすりの水を必要とするときにはユーザの口において位置付けされることが可能になる。
【０１４９】
該デュアルｌインターフェース４００４は、図４０Ｃに示されるように、水筒４００２からの水及び流れ発生器４００５からの清浄化空気の両方を送出するための送出機構を含んでよい。この点に関しては、空気送出導管４００７及び水導管４００３はデュアルインターフェース４００４において一緒に連結されてもよい。該デュアルインターフェース４００４は、そこからユーザが水導管４００３を介して水筒４００２からの水をすすることができるマウスピース４０４３を含んでよい。デュアルインターフェースはまた、ユーザの顔を横切るエアカーテンとして、空気送出導管４００７を介して受け取られた清浄化空気を導く空気ノズル４０４７を含んでもよい。幾つかの実施形態では、頭追跡又は顔追跡光学システムは、ユーザの鼻／口の位置を突き止めるためにシステム内に搭載されてもよい。該追跡システムがユーザの鼻／口を追跡するとき、機械式アクチュエータは、空気の流れをユーザの鼻／口領域に狙いをつけるように空気ノズル４０４７に対して調整を行ってもよい。
【０１５０】
ユーザインターフェースは、図４１に示されるように、ノーズクリップ４１００の形態であってもよい。該ノーズクリップはユーザの鼻孔にフィットするように構成される２つの剛性リング４１１０から構成されてもよい。該剛性リング４１１０はユーザの鼻孔とともにシールを形成してもよく、空気が剛性リングの周り及びユーザの鼻の中へ又は鼻からリークするのを防止してよい。剛性リング゛４１１０は、清浄空気ノズル４１２０及び汚染フィルタ４１３０及び／又は呼吸快適さ用の熱湿気交換（ＨＭＸ０）フィルタを実装してもよい。該清浄空気ノズルは、流れ発生器からユーザの鼻腔内へ提供された清浄空気を導いてもよい。該汚染フィルタはユーザがシステムの外部からの空気を吸い込むとともに、呼気がシステムから出ることを可能にしてよい。該汚染フィルタ４１３０はまた、ユーザが息を吸うときに汚染又は他の空中浮遊物がユーザの鼻孔に侵入するのを遮断することもできる。
【０１５１】
該ノーズクリップ４１００は、ノーズクリップを導管４１６０に接続するための接続チューブ４１４０を含んでよい。導管４１６０は流れ発生器から清浄空気を送出してもよい。コネクタ４１５０は接続チューブ４１４０を導管４１６０へ接合するために使用されてもよい。該ノーズクリップ４１００及び接続チューブ４１４０は軽量、低密度、透明材料から製造されてもよい。例えば、ノーズクリップ４１００及び接続チューブ４１４０は、ユーザが運動をしているときなど、ユーザが動いているときにデバイスの慣性及び運動量を低減するに際して支援してもよい軽量プラスチック材料から製造されてもよい。同様に、導管はまたその形状を保持するのに十分に剛性であるが、ユーザの身体の動きに追従するのに十分に軟らかい材料から製造されてもよい。ノーズクリップ４１００及び接続チューブ４１４０は、分離可能であってもよい、それによっていずれかのピースが交換及び／又は補充できることになる。別の実施形態では、コネクタ４１５０、接続チューブ４１４０、ノーズクリップ４１００、剛性リング４１１０、ノズル４１２、及びフィルタ４１３０は補充及び交換されることが意図される消耗品である。
【０１５２】
ユーザインターフェースは、図４２に示されるように、マウスガードの形態であってもよい。該マウスガードはマウスピース４２１０、ボトムマウスピース４２２０、及びトップマウスピースとボトムマウスピースとの間に位置しているフィルタ４２３０から構成されてもよい。トップマウスピースはユーザの上の歯、唇、及び歯ぐきとの間に保持されてもよい、またボトムマウスピースはユーザの下の歯、唇及び歯ぐきとの間に保持されてもよい。フィルタ４２３０は空気汚染フィルタなど、いずれの形式のフィルタであってもよい。一実施形態では、フィルタ４２３０は、患者との接触を回避しかつフィルタ４２３０の中に捕集された粒子による汚染を回避するために患者の口内に位置づけされない及び口の外部に存在させる。フィルタ４２３０は取り外し可能でありかつ補充及び交換されることが意図される消耗品である。マウスガードは、ユーザが口を通して呼吸するときに口腔汚染保護をもたらしうる。例えば、非常な努力（例えば、運動、）をしている時間の間、ユーザは口を通して呼吸する傾向がありうる。マウスガードにおけるフィルタは、これらの時間の間ユーザを汚染及び／又は他の空中浮遊バクテリアから保護してもよい。幾つかの実施形態では、マウスガードは、汚染及び／又は他の空中浮遊バクテリアに対する別途口腔保護をもたらすために他のインターフェースと共に使用されてもよい。
【０１５３】
ユーザ・フロー・インターフェース１０４は、スポーツバンドの形態であってもよい。図４３Ａ及び４３Ｂに示されるように、スポーツバンド４３０１はユーザの頭４３２０の周りを巻いてもよい。スポーツバンド４３０１の後部においては流れ発生器、加湿器、バッテリ、及びスポーツバンド４３０１のバンド内の他のブロワ構成部品を位置づけるためのハウジング４３０５があってもよい。幾つかの実施形態では、空気導管は外部ブロワとスポーツバンド４３０１を接続することができ、それによってブロワ構成部品がスポーツバンドから取り外されることが可能になる。スポーツバンド４３０１の前方に空気ノズル４３０３が位置づけられてもよい。図４３Ｂを参照すると、スポーツバンドはユーザの耳４３２２の上に載るように位置づけされてもよい。この点に関しては、ハウジング４３０５の重さはユーザの耳４３２２の上でスポーツバンドを下向きに引っ張ってもよく、空気ノズル４３０３がユーザの顔から離れて、ユーザの口及び／又は鼻の前方に持ち上げられることが可能になる。
【０１５４】
ユーザ・フロー・インターフェース１０４はスライド式マスクの形態であってもよい。図４４に示されるように、スライド式マスク４４００は可動フロントプレート４４１０を有してもよい。該可動フロントプレート４４１０は、矢印４４２０により示されるように、ユーザの口及び／又は鼻に対して開口を生成するためにマスクの側部まで動かされてもよい。このような開口はユーザが食べたり話をしたいときに便利でありうる。該可動フロントプレート４４１０は手で手動又はアクチュエータを用いて自動で動かされてもよい。スライド式マスク４４００は汚染からの受動的保護をもたらすための受動型フィルタ及び他の要素を含んでよい。幾つかの実施形態では、スライド式マスクは流れ発生器から受容される清浄空気を探求するためにノズルを含んでよい。
【０１５５】
エンタテインメント分野に適したインターフェースに関して、ユーザ・フロー・インターフェース（例えば、エンタテインメントインターフェース）は頭及び顔から取り去られてもよい。大抵のエンタテインメントデバイス及びコンソールは、コントローラを要求する。該ユーザ・フロー・インターフェースはコントローラの中に埋め込まれることができ、かつ別途感覚要素がその中に追加されてよい。また、ユーザ・フロー・インターフェース１０４は手袋２７０１であってもよい。空気２７０２は手袋２７０１から放出されてもよい。空気は前述した通り香り及び小さい微粒子を含んでよい。香り及び小さい微粒子は、手袋内の造り付けの臭いカートリッジから分配されてもよい。
【０１５６】
エンタテインメントインターフェースは同様に衣類の形態であってもよい。例えば、図２８に示されるように、エアインターフェースはカラー２８０１及び２８０２、ゴーグル２８０４、シャツ２８０３及びマスク２８０５とすることができる。幾つかの実施形態では、空気はカラー２８０１及び２８０２から上に及びバイザー２８０４から下に送られてもよい。エンタテインメントインターフェースによって、システムはユーザを抱きしめる、ユーザを温めたり冷やしたり、及びユーザを濡らしたりなどの他の感覚効果をトリガーすることが可能になる。幾つかの実施形態では、エンタテインメントインターフェースは他のユーザ又は椅子、机、ベット、その他などの無生物に取り付けらてもよい。一実施例では、エンタテインメントデバイスはユーザによって個人の左側に着用されてもよい。トリガーされるとき、エンタテインメントデバイスは空気若しくは別の感覚効果を、個人の方向に、吹き出してもよく、結果的にユーザ及び個人の両方によって興奮が感じられることになる。同様に、エンタテインメントデバイスが、椅子などの物にに取り付けられる場合、空気又は他の感覚効果が配置された二人以上の個人に提供されてもよい。
【０１５７】
ユーザ・フロー・インターフェース１０４はモック電子タバコとして構成されてもよい。この点に関しては、モック電子タバコは実際の電子タバコの外観及び動作をまねしてもよい。例えば、受動型フィルタ及び／又は流れ発生器はモック電子タバコ内に設置されてもよい。ユーザの別のあるユーザがモック電子タバコで吸い込むとき、煙を送る代わりに、モック電子タバコは流れ発生器から清浄化空気を送出することができる。
【０１５８】
ユーザ・フロー・インターフェースは空気を分与させるためのノズルを含んでよい。これらのノズルは、図２９に示されるように、２つの空気出力を含んでよい。図２９は２つのノズル分与設計を示す。該設計はユーザによって吸い込まれる、連行された汚れ空気の問題を解決する。該システムでは、第１のノズルは、エアカーテン２９０２を生成する高速層流を放出してもよい。該エアカーテンは汚れた空気２９０１を連行してもよくかつユーザが吸い込んでもよい空気のポケットから汚れた空気を除去する。該層流は、ハチの巣フィルタ２９０４のような層流化バリアを通って流れを押し込むことによって生成されることができる。第１のノズルの背後の第２のノズルは、ユーザが吸い込んでもよい、低速空気を提供してよい。該層流がユーザの前方からすべての汚れた空気を除去するにつれて、低速空気には所望されていない粒子がない。エアカーテン内への低速空気の連行を停止するために、２つの吹出口の間に小さい物理的バリアが設置されてもよい。
【０１５９】
４．６  他の注記事項
本特許文書の開示の一部分は、著作権保護を受けている資料を収録している。著作権所有者は、特許文書又は特許開示のいかなる者による複製に対して、特許・商標庁特許ファイル又は記録においてそれが見られる場合には、何ら反対していないが、その他の点ではどんなものであれすべての著作権を留保している。
【０１６０】
文脈が明らかに別段に指示していない限り及び値の範囲が提供される場合、その範囲の上限と下限との間で、下限の１０分の１の単位までの、各介在値及びその記載範囲内のいかなる他の記載値又は介在値が本技術の範囲内に包含されると理解されるべきである。該介在範囲内に独立して含まれてもよい、これらの介在範囲の上限及び下限はまた、該記載範囲内でいかなる具体的に除外された限界を条件として、本技術の範囲内に包含される。該記載範囲が限界の片方又は両方を含む場合、それらの包含された限界値のいずれか片方又は両方を除外する範囲はまた本技術に包含される。
【０１６１】
さらに、１つ又は複数の値が、本技術の一部として実施されるとして、本明細書に明記されている場合、このような値が、他に特段の指定がない限り、近似されてよいこと、及びこのような値が実際的な技術的実施がそれを許可又は要求する程度においていかなる適した有効桁まで利用されてもよいことが理解されるべきである。
【０１６２】
他に特段の定義がない限り、本明細書に使われるすべての技術用語及び科学用語は、該技術が属する分野の当業者によって一般に理解されるものと同じ意味を持っている。本明細書に記載されるものと同様又は同等な任意の方法及び材料はまた、本技術の実践又は試験において使用されることができるが、限られた数の代表的な方法及び材料が本明細書に記載されている。
【０１６３】
ある特別の材料が構成要素を構築するのに好ましく使用されているとして確認される場合、同様の特性を備えた明らかな代替材料が代用として使用されてもよい。さらに、これに反する指定がない限り、本明細書に記載されるいずれの及びすべての構成要素が製造されることできると理解されるべきであり、また、そういうものとして、一緒に又は別々に製造されてもよい。
【０１６４】
本明細書及び添付の特許請求の範囲で使用されるように、文脈が明確に指示しない限り、単数形「ａ」、「ａｎ」、及び「ｔｈｅ」はそれらの複数の同等物を含むことに留意しなければならない。
【０１６５】
本明細書に言及されるすべての刊行物は、それらの刊行物の主題である方法及び／又は材料を開示及び記載するために参照によって組み入れられている。本明細書で言及される刊行物は、本出願の出願日以前にそれらを開示することためにのみ提供される。本明細書に記載のいかなるものも本技術が先行発明によるそのような刊行物に先行する権利がないという承認として理解されべきではない。また、提供された刊行物の日付は、独立して確認する必要がありうる実際の公開日と異なっていてもよい。
【０１６６】
さらに、開示を解釈するに際して、すべての用語は文脈と矛盾しない最も広い妥当な方法で解釈されるべきである。特に、用語「ｃｏｍｐｒｉｓｅ（を備える）」及び「ｃｏｍｐｒｉｓｉｎｇ」は、非排他的な方法で要素、構成要素、又はステップを言及するものとして解釈されるべきであり、参照されている要素、構成要素、又はステップが存在しているか、若しくは利用されている、あるいは明示的に言及されていない、他の要素、構成要素、又はステップと組合されることを示唆する。
【０１６７】
詳細な説明に使われている見出し語は、読者の参照のし易さのためのみで含まれているのであって、開示又は特許請求の範囲の全体にわたって見い出される主題を限定するために使用されるべきではない。見出し語は特許請求の範囲又は請求の制限を解釈するに際して使用されるべきでない。
【０１６８】
本明細書の本技術は特定の実施形態を参照して記載されてきたが、これらの実施形態が本技術の原理及び適用を単に例示するものとして理解されるべきである。幾つかの実施例において、用語及び符号は本技術を実践するために要求されない特定の詳細を含意してもよい。例えば、用語「第１の」及び「第２の」は使用されてもよいが、特段の指定がない限り、それらはいかなる順番を指示することは意図されていないが、特異な要素間で区別するために利用されてもよい。さらに、方法論におけるプロセスステップは順番に記載又は例示されてもよいが、このような順番付けは要求されない。当業者はこのような順番付けが修正されてもよい及び／又はそれの態様が並行して又は同期してでも実施されてもよいことを認識するであろう。
【０１６９】
したがって、多数の改変が例示的な実施形態に対してなされてもよいこと及び他の配置が本技術の趣旨及び範囲から逸脱しないで工夫されてもよいことが理解されるべきである。
【図１】
2018504159.tif 000004
【図２】
2018504159.tif 000005
【図３Ａ】
2018504159.tif 000006
【図３Ｂ】
2018504159.tif 000007
【図４】
2018504159.tif 000008
【図５Ａ】
2018504159.tif 000009
【図５Ｂ】
2018504159.tif 000010
【図６】
2018504159.tif 000011
【図７Ａ】
2018504159.tif 000012
【図７Ｂ】
2018504159.tif 000013
【図７Ｃ】
2018504159.tif 000014
【図８Ａ】
2018504159.tif 000015
【図８Ｂ】
2018504159.tif 000016
【図９Ａ】
2018504159.tif 000017
【図９Ｂ】
2018504159.tif 000018
【図９Ｃ】
2018504159.tif 000019
【図１０Ａ】
2018504159.tif 000020
【図１０Ｂ】
2018504159.tif 000021
【図１１Ａ】
2018504159.tif 000022
【図１１Ｂ】
2018504159.tif 000023
【図１２】
2018504159.tif 000024
【図１３】
2018504159.tif 000025
【図１４】
2018504159.tif 000026
【図１５】
2018504159.tif 000027
【図１６】
2018504159.tif 000028
【図１７】
2018504159.tif 000029
【図１８】
2018504159.tif 000030
【図１９】
2018504159.tif 000031
【図２０】
2018504159.tif 000032
【図２１】
2018504159.tif 000033
【図２２】
2018504159.tif 000034
【図２３】
2018504159.tif 000035
【図２４】
2018504159.tif 000036
【図２５】
2018504159.tif 000037
【図２６】
2018504159.tif 000038
【図２７】
2018504159.tif 000039
【図２８】
2018504159.tif 000040
【図２９】
2018504159.tif 000041
【図３０】
2018504159.tif 000042
【図３１】
2018504159.tif 000043
【図３２】
2018504159.tif 000044
【図３３】
2018504159.tif 000045
【図３４】
2018504159.tif 000046
【図３５】
2018504159.tif 000047
【図３６Ａ】
2018504159.tif 000048
【図３６Ｂ】
2018504159.tif 000049
【図３７Ａ】
2018504159.tif 000050
【図３７Ｂ】
2018504159.tif 000051
【図３８】
2018504159.tif 000052
【図３９】
2018504159.tif 000053
【図４０Ａ】
2018504159.tif 000054
【図４０Ｂ】
2018504159.tif 000055
【図４０Ｃ】
2018504159.tif 000056
【図４１】
2018504159.tif 000057
【図４２】
2018504159.tif 000058
【図４３Ａ】
2018504159.tif 000059
【図４３Ｂ】
2018504159.tif 000060
【図４４】
2018504159.tif 000061
【図４５】
2018504159.tif 000062
【図４６】
2018504159.tif 000063
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
ユーザに清浄化空気を提供する個人用携帯型呼吸装置であって、
流れ発生器であって、該流れ発生器が濾過又は調整された空気の流れを発生するように構成されている、流れ発生器と、
前記流れ発生器に結合された個人用立体呼吸インターフェースであって、該個人用立体呼吸インターフェースが前記流れ発生器用の吹出口を備え、該個人用立体呼吸インターフェースがユーザの周囲呼吸近接域内に空気の流れを誘導するように構成された、個人用立体呼吸インターフェースを備える装置。
前記個人用立体呼吸インターフェースの向きを検出するよに構成された１つ以上のセンサと、
該１つ以上のセンサからの信号に基づいて前記装置の向きを調節するように構成されたコントローラを備える装置。
【請求項２】
前記流れ発生器への空気入口が、フィルタであって、該入口を通って吸い込まれる空気から粒子を除去するように構成されているフィルタを備えている、請求項１に記載の装置。
【請求項３】
前記フィルタが、前記入口を通って吸い込まれる空気から揮発性ガス及び臭いを除去するように構成されている、請求項２に記載の装置。
【請求項４】
前記フィルタが、前記入口を通って吸い込まれる空気からバクテリア及びウイルスを除去するように構成されている、請求項２〜３のいずれか一項に記載の装置。
【請求項５】
前記フィルタが、ＨＥＰＡフィルタ、エレクトレットフィルタ、イオナイザー清浄器、熱力学殺菌フィルタ、能動的炭素フィルタ及び触媒酸化フィルタのうちいずれか１つ以上を備えている、請求項２〜４のいずれか一項に記載の装置。
【請求項６】
前記個人用立体呼吸インターフェースが、エアカーテンに前記誘導された空気の流を発生して前記ユーザの前記周囲呼吸近接域を未清浄化環境空気から分離するように構成された、１組の分散空気出口を備える、請求項１〜５のいずれか一項に記載の装置。
【請求項７】
前記個人用立体呼吸インターフェースが、前記ユーザの前記周囲呼吸近接域内の前記誘導された空気の流れを未清浄化環境空気から分離するために空気遮蔽を生成するように構成されたさらに１組の空気吹出口を備えている、請求項１〜６のいずれか一項に記載の装置。
【請求項８】
前記さらに１組の空気吹出口が層流化ノズルを備えている、請求項７に記載の装置。
【請求項９】
前記層流化ノズルがハチの巣構造を備える、請求項８に記載の装置。
【請求項１０】
付加的な１組の空気吹出口であって、１つ以上のエアカーテンを生成して前記ユーザの前記周囲呼吸近接域を未清浄化環境空気から分離するために付加的な１組の空気吹出口をさらに備えている、請求項１〜９のいずれか一項に記載の装置。
【請求項１１】
個人用立体呼吸インターフェースがファッションアクセサリを備えている、請求項１〜１０のいずれか一項に記載の装置。
【請求項１２】
前記ファッションアクセサリがスカーフを備えている、請求項１１に記載の装置。
【請求項１３】
前記ファッションアクセサリがシャツを備えている、請求項１１に記載の装置。
【請求項１４】
前記ファッションアクセサリがシャツカラーを備える、請求項１１に記載の装置。
【請求項１５】
前記ファッションアクセサリが眼鏡、バイザー又はゴーグルを備えている、請求項１１に記載の装置。
【請求項１６】
前記ファッションアクセサリがネックレスを備えている、請求項１１に記載の装置。
【請求項１７】
前記ネックレスが、前記空気の流れを誘導するために前記ネックレスの長さに沿って複数の吹出口を備えている、請求項１６に記載の装置。
【請求項１８】
前記ファッションアクセサリが帽子を備えている、請求項１１に記載の装置。
【請求項１９】
前記帽子の縁が、前記流れ発生器に結合された１つ以上の空気吹出口を備えている、請求項１８に記載の装置。
【請求項２０】
前記個人用立体呼吸インターフェースがヘッドセットを備えている、請求項１〜１０のいずれか一項に記載の装置。
【請求項２１】
前記個人用立体呼吸インターフェースがヘッドセットブームを備える、請求項１〜１０のいずれか一項に記載の装置。
【請求項２２】
前記個人用立体呼吸インターフェースが、アンダカラー・フレキシブル・アタッチメントを備えている、請求項１〜１０のいずれか一項に記載の装置。
【請求項２３】
個人用携帯型呼吸装置がハイドレーション（水筒式）バックパックを備えている、請求項１〜１０のいずれか一項に記載の装置。
【請求項２４】
個人用携帯型呼吸装置がノーズクリップを備えている、請求項１〜１０のいずれか一項に記載の装置。
【請求項２５】
個人用携帯型呼吸装置がマウスガードを備えている、請求項１〜１０のいずれか一項に記載の装置。
【請求項２６】
個人用携帯型呼吸装置がスポーツバンドを備えている、請求項１〜１０のいずれか一項に記載の装置。
【請求項２７】
個人用携帯型呼吸装置がスライド式マスクを備えている、請求項１〜１０のいずれか一項に記載の装置。
【請求項２８】
前記装置がウェラブルである、請求項１〜１７及び２３〜２７のいずれか一項に記載の装置。
【請求項２９】
前記個人用立体呼吸インターフェースが位置づけ可能なグースネックチューブを備えている、請求項１に記載の装置。
【請求項３０】
前記個人用立体呼吸インターフェースがリストバンド及び／又は手袋を備えている、請求項１に記載の装置。
【請求項３１】
清浄化空気が、顔面接触装置なしでユーザに提供される、請求項１〜１０、１２、１６〜２０及び２１〜２３、並びに２６のいずれか一項に記載の装置。
【請求項３２】
清浄化空気が、頭接触装置なしでユーザに提供される、請求項１〜６、８、１２及び１７〜２３のいずれか一項に記載の装置。
【請求項３３】
前記流れ発生器が、プレブロワ・フィルタ、ブロワ及びポストブロワ・フィルタを備えている、請求項１〜３２のいずれか一項に記載の装置。
【請求項３４】
前記ブロワが、モータ及びインペラを備えている、請求項３３に記載の装置。
【請求項３５】
前記流れ発生器が、モータ及びインペラを備えている、請求項１〜３３のいずれか一項に記載の装置。
【請求項３６】
前記流れ発生器が、バッテリ動作のために構成され、かつ前記流れ発生器がバッテリ電源をさらに備えている、請求項３５に記載の装置。
【請求項３７】
前記流れ発生器が、多段ブロワを備えている、請求項１〜３６のいずれか一項に記載の装置。
【請求項３８】
前記流れ発生器が、並列流れ構成で複数のインペラを備えている、請求項３７に記載の装置。
【請求項３９】
前記流れ発生器が、直列流れ構成で複数のインペラを備えている、請求項３７に記載の装置。
【請求項４０】
前記ブロワのロータが、遠心ステージ及び１つ以上の軸流ステージを備えている、請求項３７〜３８のいずれか一項に記載の装置。
【請求項４１】
アロマディスペンサーをさらに備え、かつ前記コントローラがエンタテインメント・トリガ信号に応答して前記誘導された空気の流れの中に該アロマディスペンサーからアロマの放出を選択的に起動するように構成されている、請求項１〜４０のいずれか一項に記載の装置。
【請求項４２】
前記コントローラが、前記エンタテインメント・トリガ信号を受信するための通信用インターフェースを備える、請求項４１に記載の装置。
【請求項４３】
前記通信用インターフェースが、エンタテインメント・コンソールから無線で前記エンタテインメント信号を受信するように適応されている、請求項４２に記載の装置。
【請求項４４】
前記アロマディスペンサーがアロマを含有する交換可能なアロマカートリッジを受容するように適応されている、請求項４１〜４３のいずれか一項に記載の装置。
【請求項４５】
前記装置が、異なるエンタテインメント・トリガ信号に応答して異なるアロマを放出するように構成されている、請求項４１〜４４のいずれか一項に記載の装置。
【請求項４６】
前記アロマが、匂い粒子及び／又は味粒子を含む、請求項４１〜４４のいずれか一項に記載の装置。
【請求項４７】
前記コントローラが、前記装置の１つ以上の汚染フィルタの動作を設定するように構成されている、請求項１〜４６のいずれか一項に記載の装置。
【請求項４８】
前記コントローラと結合された１つ以上の空気質センサをさらに備え、前記コントローラが該１つ以上の空気質センサからの信号に応答して前記１つ以上の汚染フィルタの動作を設定するように構成されている、請求項４７に記載の装置。
【請求項４９】
前記コントローラが、前記装置の位置を検出しかつ前記位置の検出に基づいて前記装置の前記１つ以上の汚染フィルタの動作を設定するために位置センサとともに構成されている、請求項４７〜４８のいずれか一項に記載の装置。
【請求項５０】
前記コントローラが通信用インターフェースを含み、前記コントローラが外部気象又は汚染データを要請及び受信しかつ前記受信された外部気象又は汚染データに基づいて前記１つ以上の汚染フィルタの動作を設定するように構成されている、請求項４７〜４９のいずれか一項に記載の装置。
【請求項５１】
前記ユーザの生理的なデータを検出するように構成された１つ以上のユーザセンサをさらに備え、前記コントローラが該１つ以上のユーザセンサからの信号に基づいて前記装置の動作を設定するように構成されている、請求項１〜５０のいずれか一項に記載の装置。
【請求項５２】
前記コントローラが、検出された生理的なデータに基づいた前記装置のアロマディスペンサーの動作のためのエンタテインメント・トリガ信号を発生するように構成されている、請求項５１に記載の装置。
【請求項５３】
前記生理的なデータが、心拍数データ、発汗データ、温度データ、ブレス流量データ、Ｏ２飽和データのいずれか１つ以上を含み、かつ前記１つ以上のユーザセンサが心拍数センサ、湿度センサ、サーミスタ、流れセンサ、酸素濃度計のいずれか１つ以上をそれぞれ備えている、請求項５１〜５２のいずれか一項に記載の装置。
【請求項５４】
前記コントローラが、前記生理的なデータをエンタテインメントコンソールへ通信するために通信用インターフェースを含む、請求項５２〜５３のいずれか一項に記載の装置。
【請求項５５】
前記コントローラが、前記流れ発生器の動作を制御するように構成されている、請求項１〜５４のいずれか一項に記載の装置。
【請求項５６】
外部プログラミング可能なモバイル処理デバイスを用いてデータを送受信するために通信用インターフェースをさらに備えている、請求項１〜５５のいずれか一項に記載の装置。
【請求項５７】
液滴発生器をさらに備え、前記装置のコントローラが前記誘導された空気の流れの中に液滴を注入するために該液滴生成器を制御するように構成されている、請求項１〜５６のいずれか一項に記載の装置。
【請求項５８】
前記コントローラが、エンタテインメント信号に応答して前記液滴を注入する、請求項５７に記載の装置。
【請求項５９】
前記コントローラが、外部エンタテインメントコンソールから前記エンタテインメント信号を受信する、請求項５８に記載の装置。
【請求項６０】
前記液滴が液状水である、請求項５７〜５９のいずれか一項に記載の装置。
【請求項６１】
少なくとも１つの加熱又は冷却要素をさらに備え、前記装置の前記コントローラが該加熱又は冷却要素の動作を設定することによって前記誘導された空気の流れの温度を変化させるように構成されている、請求項１〜６０のいずれか一項に記載の装置。
【請求項６２】
前記コントローラが、エンタテインメント信号に応答して前記温度を変化させる、請求項６１に記載の装置。
【請求項６３】
前記コントローラが、外部エンタテインメントコンソールから前記エンタテインメント信号を受信する、請求項６２に記載の装置。
【請求項６４】
前記１つ以上のセンサが、風向を検出するようにさらに構成され、かつ
前記装置の前記コントローラが該１つ以上のセンサからの別の信号に基づいて前記装置の動作を調節するように構成されている、請求項１〜６３のいずれか一項に記載の装置。
【請求項６５】
前記１つ以上のセンサが、風を検出する風力計又は個人用立体呼吸インターフェースの向きを検出する加速度計を含む、請求項６４に記載の装置。
【請求項６６】
前記装置の前記コントローラが、前記検出された風及び／又は前記個人用立体呼吸インターフェースの向きに基づいて前記流れ発生器の動作の変化を制御するように構成されている、請求項６４〜６５のいずれか一項に記載の装置。
【請求項６７】
前記動作の変化が、流れ方向の変化及び流速の変化のいずれか片方を含む、請求項６６に記載の装置。
【請求項６８】
前記コントローラのプロセッサが、検出された接近風の関数として最適な空気ノズル向き及び／又は空気流速を決定するように構成されている、請求項６７に記載の装置。
【請求項６９】
前記流れ発生器が、１０ｍｍ未満の幅を有する、請求項１〜６８のいずれか一項に記載の装置。
【請求項７０】
感覚粒子を含有する空気をユーザに提供する個人用エンタテインメント呼吸装置であって、
携帯型流れ発生器であって、空気の流れを生成するように構成された携帯型流れ発生器と、
該携帯型流れ発生器に結合された個人用立体呼吸インターフェースであって、該個人用立体呼吸インターフェースが前記携帯型流れ発生器用の吹出口を備え、該個人用立体呼吸インターフェースがユーザの周囲呼吸近接域内に前記空気の流れを誘導するように構成された、個人用立体呼吸インターフェースと、
コントローラと、
感覚粒子ディスペンサーを備え、
前記コントローラが、エンタテインメント・トリガ信号に応答して前記誘導された空気の流れの中へ前記感覚粒子ディスペンサーから感覚粒子の放出を選択的に起動するように構成されている装置。
【請求項７１】
前記コントローラが、通信用インターフェースであって、エンタテインメントコンソールと結合可能である通信用インターフェースを備えている、請求項７０に記載の装置。
【請求項７２】
前記通信用インターフェースが無線通信用インターフェースを備えかつ前記トリガー信号が前記エンタテインメントコンソールから受信される無線信号を含む、請求項７１に記載の装置。
【請求項７３】
前記エンタテインメント・トリガ信号が、エンタテインメントコンソールのビデオゲームのイベント又はビデオのイベントのいずれか片方と同期される、請求項７０〜７２のいずれか一項に記載の装置。
【請求項７４】
前記感覚粒子ディスペンサーが、アロマディスペンサーを備えている、請求項７０〜７３のいずれか一項に記載の装置。
【請求項７５】
前記感覚粒子ディスペンサーが、液滴ディスペンサーを備えている、請求項７０〜７４のいずれか一項に記載の装置。
【請求項７６】
前記感覚粒子ディスペンサーが、交換可能なアロマカートリッジ及び／又は液滴カートリッジを受容するように適応されている、請求項７０〜７５のいずれか一項に記載の装置。
【請求項７７】
前記コントローラが、異なるエンタテインメント・トリガ信号に応答して異なる感覚粒子を放出するために前記感覚粒子ディスペンサーを制御するように構成されている、請求項７０〜７６のいずれか一項に記載の装置。
【請求項７８】
前記コントローラが、エンタテインメント信号に応答して前記流れ発生器の流量に対する変化を制御するようにさらに構成されている、請求項７０〜７７のいずれか一項に記載の装置。
【請求項７９】
前記ユーザの生理的なデータを検出するように構成された１つ以上のユーザセンサをさらに備え、前記コントローラが該１つ以上のセンサからの信号にに基づいて前記装置の動作を設定するように構成されている、請求項７０〜７８のいずれか一項に記載の装置。
【請求項８０】
前記コントローラが、検出された生理的なデータに基づいて前記装置の前記感覚粒子ディスペンサーの動作のためのエンタテインメント・トリガ信号を発生するように構成されている、請求項７９に記載の装置。
【請求項８１】
前記生理的なデータが、心拍数データ、発汗データ、温度データ、ブレス流量データ、Ｏ２飽和データのいずれか１つ以上を含み、前記１つ以上のユーザセンサが、心拍数センサ、湿度センサ、サーミスタ、流れセンサ、酸素濃度計のいずれか１つ以上をそれぞれ備えている、請求項７９〜８０のいずれか一項に記載の装置。
【請求項８２】
前記コントローラが、エンタテインメントコンソールへ前記生理的なデータを通信するように構成されている、請求項７０〜８１のいずれか一項に記載の装置。
【請求項８３】
加熱要素をさらに備え、かつ前記コントローラがエンタテインメント信号に応答して前記誘導された空気の流れの温度を設定するために該加熱要素を制御するように構成されている、請求項７０〜８２のいずれか一項に記載の装置。
【請求項８４】
前記エンタテインメント信号が、エンタテインメントコンソールから前記コントローラによって受信される、請求項８３に記載の装置。
【国際調査報告】
2018504159.tif 000064
2018504159.tif 000065
2018504159.tif 000066
2018504159.tif 000067